(57)【要約】【課題】バスダクトのプラグインホールにおいて、作業者の感電等を防ぐための強固な保護とプラグイン時の施工性とを両立可能な保護構造を提供する。【解決手段】バスダクト１０のハウジング１１に設けられたプラグインホール１２に対してプラグイン装置２０を着脱する際のバスダクトプラグインホール保護構造１において、バスダクト１０には、プラグインホール１２を開閉可能に閉塞するシャッタ部材１３と、プラグインホール１２を閉塞する方向に前記シャッタ部材１３を付勢するバネ部材１６とが設けられ、プラグイン装置２０には、プラグインホール１２へプラグイン装置２０を近づける動作に応じ、シャッタ部材１３を開放方向へ移動させるシャッタ開放部２４が形成されている。【選択図】図２
2014103845.tif 000002
【特許請求の範囲】
【請求項１】
バスダクトのハウジングに設けられたプラグインホールに対してプラグイン装置を着脱する際のバスダクトプラグインホール保護構造において、
前記バスダクトには、
前記プラグインホールを開閉可能に閉塞するシャッタ部材と、
前記プラグインホールを閉塞する方向に前記シャッタ部材を付勢するバネ部材とが設けられ、
前記プラグイン装置には、
前記プラグインホールへ前記プラグイン装置を近づける動作に応じ、前記シャッタ部材を開放方向へ動かすシャッタ開放部が形成されていることを特徴とするバスダクトプラグインホール保護構造。
【請求項２】
前記ハウジングには、断面視で略ロ字形状の空間の内方から外方に略凸形状に突出する突出部が形成されることで前記突出部の内側に略凹形状の突出空間が形成されており、
前記プラグインホールを閉塞することに関わる部材の一部が、前記突出空間に配置されることを特徴とする請求項１に記載のバスダクトプラグインホール保護構造。
【請求項３】
前記バネ部材が前記突出空間に配置され、
前記ハウジングの断面視における前記略ロ字形状の空間と前記突出空間との間に、バネ移動規制部が設けられていることを特徴とする請求項２に記載のバスダクトプラグインホール保護構造。
【請求項４】
前記シャッタ部材が、第１シャッタ部材と第２シャッタ部材とを有し、
前記第１シャッタ部材および前記第２シャッタ部材の端部同士が向かい合わせにして配置され、両開き式に前記プラグインホールを開閉することを特徴とする請求項１乃至３の何れかに記載のバスダクトプラグインホール保護構造。
【請求項５】
前記第１シャッタ部材および前記第２シャッタ部材の相互が前記バネ部材により連結されることで、プラグインホールの閉塞方向に付勢されていることを特徴とする請求項４に記載のバスダクトプラグインホール保護構造。
【請求項６】
前記シャッタ部材が、バスダクト導体の長手方向に沿ってスライドすることで前記プラグインホールを開閉することを特徴とする請求項１乃至５の何れかに記載のバスダクトプラグインホール保護構造。
【請求項７】
前記バネ部材の付勢により所定位置を越えて前記シャッタ部材が移動することを規制する規制部が配置されることを特徴とする請求項６に記載のバスダクトプラグインホール保護構造。
【請求項８】
前記バスダクトには、前記シャッタ部材が開放方向に動くことを係止するロック部材が設けられ、
前記プラグイン装置には、前記プラグインホールへ前記プラグイン装置を近づける動作に応じて前記ロック部材を動かして該ロック部材による前記シャッタ部材の係止を解除するロック解除部が設けられていることを特徴とする請求項１乃至７の何れかに記載のバスダクトプラグインホール保護構造。
【請求項９】
前記シャッタ部材は回動軸を有し、該回動軸の回動により前記プラグインホールを開閉することを特徴とする請求項８に記載のバスダクトプラグインホール保護構造。
【請求項１０】
前記プラグイン装置の前記シャッタ開放部が、前記シャッタ部材のうち前記回動軸に近い部分を垂直若しくは垂直に近い角度で押圧することで該シャッタ部材を回動させることを特徴とする請求項９に記載のバスダクトプラグインホール保護構造。
【請求項１１】
前記ロック部材において、前記ロック解除部の押圧を受ける被ロック解除部が、前記ハウジングの内側に設けられていることを特徴とする請求項８乃至１０の何れかに記載のバスダクトプラグインホール保護構造。
【請求項１２】
前記ロック部材において、前記ロック解除部の押圧を受ける被ロック解除部の少なくとも一部が、前記プラグインホールの平面視において該プラグインホールの内側に位置していることを特徴とする請求項８乃至１１の何れかに記載のバスダクトプラグインホール保護構造。
【請求項１３】
前記ロック解除部は、前記シャッタ部材と前記プラグインホールとの間の微小な隙間を介してハウジング内部に挿入され、若しくは、前記第１シャッタ部材の端部と第２シャッタ部材の端部との間の微小な隙間を介してハウジング内部に挿入され、前記ロック部材による前記シャッタ部材のロックを解除することを特徴とする請求項１２に記載のバスダクトプラグインホール保護構造。
【請求項１４】
前記隙間の周囲の部材には、前記隙間へ向けて傾斜するロック解除ガイド部が形成されていることを特徴とする請求項１３に記載のバスダクトプラグインホール保護構造。
【請求項１５】
前記プラグイン装置には、分岐用の接触子と前記接触子のホルダとが設けられ、
前記ホルダが前記ロック解除部および前記シャッタ開放部の少なくとも一方の機能を有する、若しくは、前記接触子が前記ロック解除部および前記シャッタ開放部の少なくとも一方の機能を有することを特徴とする請求項８乃至１１の何れかに記載のバスダクトプラグインホール保護構造。
【請求項１６】
請求項１乃至１５の何れかに記載のバスダクトプラグインホール保護構造に用いられるバスダクト。
【請求項１７】
請求項１乃至１５の何れかに記載のバスダクトプラグインホール保護構造に用いられるバスダクトプラグイン装置。
【発明の詳細な説明】
【発明の詳細な説明】
【技術分野】
【０００１】  本発明は、バスダクトプラグインホール保護構造に関し、例えば、バスダクトに設けられたプラグインホールの保護構造に関する。
【背景技術】
【０００２】  従来、バスダクトのプラグインホールの保護構造として、特許文献１に示すようなプラグイン接続部保護装置がある。このプラグイン接続部保護装置では、プラグイン接続部の回りに電気絶縁物製のカバーを取り付け、そのカバーのプラグイン端子挿入口に一対の弾性唇片を対向するように設けて常時密着させるようにしており、プラグイン器具の接続端片を挿し込む際に弾性唇片が押し広げられることで開口し、接続端片を引き出す際に弾性唇片が元に戻ることで閉塞するようになされている。これにより、プラグインホール内に塵埃が入ることを防ぐようになっている。
【先行技術文献】
【特許文献】
【０００３】
【特許文献１】実公昭４９−２０２９５号公報
【発明の概要】
【発明が解決しようとする課題】
【０００４】  しかしながら、上述した特許文献１に記載されたプラグインホール保護構造は、塵埃といった空気中を浮遊する程度の軽い物質の侵入を防ぐ目的であるため、弾性力によって全体が変形する電気絶縁物製樹脂のカバー（弾性唇片）によってプラグインホールを保護できるようになされているが、電気幹線の全体に多くのプラグインホールを予め設けているバスダクトにおいて、例えば作業者を感電等から保護することを目的とした場合の保護強度としては不安があるという技術的課題を有している。【０００５】  この点を解決するため、上述した特許文献１における電気絶縁物製樹脂カバーを厚くしたり、剛性の強い材料に変更したりすることが考えられるが、その分だけ弾性力が強くなるため、プラグイン器具の挿入に支障が出るという問題がある。すなわち、特許文献１に記載されたプラグインホール保護構造では、保護の強固さとプラグイン器具の挿入のし易さ（施工性）との間にトレードオフの関係があるため、作業者の感電等を防ぐことを目的とした強固な保護とプラグイン時の施工性との両立が困難である。【０００６】  本発明は、上記技術的課題に鑑みてなされたものであり、バスダクトのプラグインホールにおいて、作業者の感電等を防ぐための強固な保護とプラグイン時の施工性とを両立可能な保護構造を提供することを目的とする。
【課題を解決するための手段】
【０００７】  上記技術的課題を解決するためになされた本発明は、バスダクトのハウジングに設けられたプラグインホールに対してプラグイン装置を着脱する際のバスダクトプラグインホール保護構造において、前記バスダクトには、前記プラグインホールを開閉可能に閉塞するシャッタ部材と、前記プラグインホールを閉塞する方向に前記シャッタ部材を付勢するバネ部材とが設けられ、前記プラグイン装置には、前記プラグインホールへ前記プラグイン装置を近づける動作に応じ、前記シャッタ部材を開放方向へ動かす（スライドさせる、回動させる、等）シャッタ開放部が形成されていることを特徴としている。【０００８】  このように、本発明のバスダクトプラグインホール保護構造では、プラグインホールを閉塞するシャッタ部材とシャッタ部材を閉塞方向に付勢するバネ部材とを別部材によって形成しているため、シャッタ部材の強度とバネ部材の強度とを別個に設定することができる。すなわち、本発明によれば、プラグイン時の施工性を悪化させることなくシャッタ部材の強度を上げて強固な保護構造を提供することができるため、バスダクトのプラグインホールにおいて、作業者の感電等を防ぐための強固な保護とプラグイン時の施工性とを両立可能な保護構造を提供することができる。【０００９】  また、本発明によれば、前記ハウジングには、断面視で略ロ字形状の空間の内方から外方に略凸形状に突出する突出部が形成されることで前記突出部の内側に略凹形状の突出空間が形成されており、前記プラグインホールを閉塞することに関わる部材の一部が、前記突出空間に配置されることを特徴としている。さらに、本発明によれば、前記バネ部材が前記突出空間に配置され、前記ハウジングの断面視における前記略ロ字形状の空間と前記突出空間との間に、バネ移動規制部が設けられていることを特徴としている。【００１０】  このため、バスダクトの内部に収納されているバスダクト導体とハウジングとの間の空間絶縁距離や沿面距離等を極力阻害することなく、シャッタ部材の一部やバネ部材といったプラグインホールを閉塞することに関わる部材の一部をバスダクトのハウジング内部に収納することができる。すなわち、シャッタ部材等のプラグインホールを閉塞することに関わる部材を設けることに起因して空間絶縁距離や沿面距離等を確保するためにバスダクトが巨大化してしまうような事態を極力回避し得る。また、ハウジング１１に取り付けられた状態において、突出空間に配置されたバネ部材が仮に何らかの不測の事態により切断するような事態が発生したとしても、切断したバネ部材が垂れ下がってハウジング内の導体に触れてしまうことをバネ移動規制部によって回避できる。【００１１】  また、本発明によれば、前記シャッタ部材が、第１シャッタ部材と第２シャッタ部材とを有し、前記第１シャッタ部材および前記第２シャッタ部材の端部同士が向かい合わせにして配置され、両開き式に前記プラグインホールを開閉することを特徴としている。【００１２】  このため、一方のシャッタ部材が開く方向の力が加えられても他方のシャッタ部材が開くことはなく、つまりは、例えば作業者が不用意にシャッタ部材に触れてしまうような場合に、第１シャッタ部材と第２シャッタ部材の両方が一度に開いてしまう危険性を極力回避でき、その分、プラグインホールの保護が強固なものとなる。【００１３】  また、本発明によれば、前記第１シャッタ部材および前記第２シャッタ部材の相互が前記バネ部材により連結されることで、プラグインホールの閉塞方向に付勢されていることを特徴としている。【００１４】  このため、第１シャッタ部材と第２シャッタ部材とがバネ部材によって連結されることによってユニット化され、組立時の取り扱いが容易となる。さらに、一つのバネ部材で第１シャッタ部材と第２シャッタ部材の両方を付勢しているため、それぞれにバネ部材を設けるよりもバネ部材の数が半分になり構造が簡単で部品数も少なく、コストがかからなくて済む。【００１５】  また、本発明によれば、前記シャッタ部材が、バスダクト導体の長手方向に沿ってスライドすることで前記プラグインホールを開閉することを特徴としている。【００１６】  このため、例えば作業者が不用意にシャッタ部材に触れてしまうような場合に、プラグインホールに直交する方向の力が加えられてもシャッタ部材が開くことはなく、その分、プラグインホールの保護が強固なものとなる。【００１７】  また、本発明によれば、前記バネ部材の付勢により所定位置を越えて前記シャッタ部材が移動することを規制する規制部が設けられていることを特徴としている。【００１８】  このため、シャッタ部材が所定位置を越えて移動してしまうような事態を簡易な構造で回避できる。【００１９】  また、本発明によれば、前記バスダクトには、前記シャッタ部材が開放方向に動くことを係止するロック部材が設けられ、前記プラグイン装置には、前記プラグインホールへ前記プラグイン装置を近づける動作に応じて前記ロック部材を動かして該ロック部材による前記シャッタ部材の係止を解除するロック解除部が設けられていることを特徴としている。【００２０】  このため、例えば作業者が不用意にシャッタ部材に触れてしまうような場合には、ロックが解除されないためシャッタ部材が開くことはなく、プラグインホールの保護がより一層強固なものとなる。その一方で、プラグインホールにプラグイン装置を近づけて挿入する際に、シャッタ部材のロックが自動で解除されるため、施工性を極力損なうことなく容易に挿入可能である。【００２１】  また、本発明によれば、前記ロック部材の少なくとも一部が外部へ露出していることを特徴としている。このため、ロックされているか否かが一目で判別でき、例えば、仮に何らかの要因によってロック部材に不具合があってロックされているべき状況においてロックされていないような状態が生じたとしても、シャッタ部材を押して確認する等の作業をすることなく目視だけで不具合を判別することができる。【００２２】  また、本発明によれば、シャッタ部材が回動軸を有し、回動軸の回動によりプラグインホールを開閉することを特徴としている。また、プラグイン装置のシャッタ開放部が、シャッタ部材のうち回動軸に近い部分を垂直若しくは垂直に近い角度で押圧することでシャッタ部材を回動させることを特徴としている。このため、プラグイン装置の挿入長さに対するシャッタ部材の開放方向への回動量、及び、挿入状態のプラグイン���置の引き抜き長さに対するシャッタ部材の閉塞方向への回動量が大きくなり、迅速な開閉が可能になる。その結果、シャッタ部材を開閉させるためのプラグイン装置の移動距離を短縮できる。これにより、例えば、プラグイン装置の着脱を考慮してバスダクトの周囲に予め確保する施工用スペースを縮小することも可能となる。【００２３】  また、本発明によれば、前記ロック部材において、前記ロック解除部の押圧を受ける被ロック解除部が、前記ハウジングの内側に設けられていることを特徴としている。【００２４】  このため、例えば作業者が不用意にシャッタ部材に触れてしまうような場合においても、被ロック解除部に作業者が触れることが無く、すなわち、不用意にロックが解除されることがないため、プラグインホールの保護がより一層強固なものとなる。【００２５】  また、本発明によれば、前記ロック部材において、前記ロック解除部の押圧を受ける被ロック解除部の少なくとも一部が、前記プラグインホールの平面視において該プラグインホールの内側に位置していることを特徴としている。【００２６】  このため、ロック機能を有しつつも、メンテナンス等でシャッタ部材を開けたい場合には、被ロック解除部を直接操作することにより、容易にロックを解除してシャッタ部材を開放することができる。【００２７】  また、本発明によれば、前記ロック部材には、前記ロック解除部の押圧によりロックが解除される被ロック解除部が設けられており、前記被ロック解除部の少なくとも一部が、前記プラグインホールの平面視において該プラグインホールの内側に位置していることを特徴としている。【００２８】  このため、プラグインホールの平面視において被ロック解除部がプラグインホールの外部に位置している場合に比べてバスダクトプラグインホール保護構造がコンパクトになる。【００２９】  また、本発明によれば、前記ロック解除部は、前記シャッタ部材と前記プラグインホールとの間の微小な隙間を介してハウジング内部に挿入され、若しくは、前記第１シャッタ部材の端部と第２シャッタ部材の端部との間の微小な隙間を介してハウジング内部に挿入され、前記ロック部材による前記シャッタ部材のロックを解除することを特徴としている。【００３０】  このため、プラグインホールの平面視において被ロック解除部がプラグインホールの内側に位置していても、ロック解除部で被ロック解除部を押圧することが可能となる。【００３１】  また、本発明によれば、前記隙間の周囲の部材には、前記隙間へ向けて傾斜するロック解除ガイド部が形成されていることを特徴としている。【００３２】  このため、プラグイン装置の挿入時において位置が多少ずれたとしても、ロック解除部の位置がガイドによって隙間まで矯正されることにより、スムーズに挿入することが可能となる。【００３３】  また、本発明によれば、前記プラグイン装置には、分岐用の接触子と前記接触子のホルダとが設けられ、前記ホルダが前記ロック解除部および前記シャッタ開放部の少なくとも一方の機能を有する、若しくは、前記接触子が前記ロック解除部および前記シャッタ開放部の少なくとも一方の機能を有することを特徴としている。【００３４】  このため、ロック解除部やシャッタ開放部���別部材として形成する必要が無いため、構造がシンプルとなり製造コストも安くなる。
【発明の効果】
【００３５】  本発明によれば、バスダクトのプラグインホールにおいて、作業者の感電等を防ぐための強固な保護とプラグイン時の施工性とを両立可能な保護構造を提供することができる。【００３６】  また、ハウジングの略凹形状の突出空間に対し、プラグインホールを閉塞することに関わる部材の一部を収容することで、バスダクトの内部に収納されているバスダクト導体とハウジングとの間の空間絶縁距離や沿面距離等を極力阻害することなく、バスダクトのハウジング内部にプラグインホールを閉塞することに関わる部材の一部を収納することができる。すなわち、シャッタ部材等を設けることに起因して空間絶縁距離や沿面距離等を確保するためにバスダクトが巨大化してしまうような事態を極力回避し得る。【００３７】  さらに、ロック部材を設けることで、例えば作業者が不用意にシャッタ部材に触れてしまうような場合には、ロックが解除されないためシャッタ部材が開くことはなく、プラグインホールの保護がより一層強固なものとなる。その一方で、プラグインホールにプラグイン装置を近づけて挿入する際にシャッタ部材のロックが自動で解除されるため、施工性を極力損なうことなく容易に挿入可能である。
【図面の簡単な説明】
【００３８】
【図１】本発明の第１実施形態のバスダクトプラグインホール保護構造のバスダクトを示す図であり、（ａ）が平面図であり、（ｂ）が側面図である。
【図２】本発明の第１実施形態のバスダクトプラグインホール保護構造及びバスダクトの詳細を示す図であり、（ａ）がＡ−Ａの模式断面図であり、（ｂ）がＢ−Ｂの模式断面図であり、（ｃ）がＣ−Ｃの模式断面図である。
【図３】本発明の第１実施形態のバスダクトプラグインホール保護構造のプラグインホールにプラグイン装置を挿入する過程を示す模式図であり、（ａ）が挿入前の図、（ｂ）が指示円Ｓ１部分の拡大図（挿入前）、（ｃ）が指示円Ｓ１部分の拡大図（挿入中）、（ｄ）が指示円Ｓ１部分の拡大図（挿入後）である。
【図４】本発明の第２実施形態のバスダクトプラグインホール保護構造及びバスダクトの詳細を示す図であり、（ａ）が模式断面図であり、（ｂ）がＤ−Ｄの模式断面図であり、（ｃ）がＥ−Ｅの模式断面図である。
【図５】本発明の第２実施形態のバスダクトプラグインホール保護構造のプラグインホールにプラグイン装置を挿入する過程を示す模式図であり、（ａ）が挿入前の拡大図、（ｂ）が挿入中の拡大図、（ｃ）が挿入後の拡大図である。
【図６】本発明の第３実施形態のバスダクトプラグインホール保護構造及びバスダクトの詳細を示す図であり、（ａ）が平面図であり、（ｂ）がＦ−Ｆの模式断面図であり、（ｃ）がＧ−Ｇの模式断面図である。
【図７】本発明の第３実施形態のバスダクトプラグインホール保護構造のロック部材の詳細を示す図であり、（ａ）が平面図であり、（ｂ）が正面図であり、（ｃ）が側面図である。
【図８】本発明の第３実施形態のバスダクトプラグインホール保護構造のロック部材収納部の詳細を示す図であり、（ａ）が平面図であり、（ｂ）が正面図であり、（ｃ）がＨ−Ｈの模式断面図である。
【図９】本発明の第３実施形態のバスダクトプラグインホール保護構造におけるロック構造の詳細を示す図であり、（ａ）がロック状態を示す図であり、（ｂ）がロック解除状態を示す図である。
【図１０】本発明の第３実施形態のバスダクトプラグインホール保護構造におけるシャッタ部材のロック状態の詳細を示す平面図である。
【図１１】本発明の第３実施形態のバスダクトプラグインホール保護構造のプラグインホールにプラグイン装置を挿入する過程を示す模式図であり、（ａ）が挿入前の図、（ｂ）が指示円Ｓ２部分の拡大図（挿入前）、（ｃ）が指示円Ｓ２部分の拡大図（ロック解除）、（ｄ）が指示円Ｓ２部分の拡大図（挿入後）である。
【図１２】本発明の第４実施形態のバスダクトプラグインホール保護構造及びバスダクトの詳細を示す図であり、（ａ）が平面図であり、（ｂ）がＩ−Ｉの模式断面図であり、（ｃ）がＪ−Ｊの模式断面図である。
【図１３】本発明の第４実施形態のバスダクトプラグインホール保護構造のプラグインホールにプラグイン装置を挿入する過程を示す模式図であり、（ａ）が挿入前の図、（ｂ）が指示円Ｓ３部分の拡大図（挿入前）、（ｃ）が指示円Ｓ３部分の拡大図（ロック解除状態）、（ｄ）が指示円Ｓ３部分の拡大図（挿入後）である。
【図１４】本発明の第５実施形態のバスダクトプラグインホール保護構造のバスダクトを示す図であり、（ａ）が平面図であり、（ｂ）が側面図である。
【図１５】本発明の第５実施形態のバスダクトプラグインホール保護構造及びバスダクト（バスダクト接続部）の詳細を示す図であり、（ａ）が平面図であり、（ｂ）がＫ−Ｋの模式断面図であり、（ｃ）がＬ−Ｌの模式断面図である。
【図１６】本発明の第５実施形態のバスダクトプラグインホール保護構造のプラグインホールにプラグイン装置を挿入する過程を示す模式図であり、（ａ）が挿入前の図、（ｂ）が指示円Ｓ４部分の拡大図（挿入前）、（ｃ）が指示円Ｓ４部分の拡大図（ロック解除状態）、（ｄ）が指示円Ｓ４部分の拡大図（挿入後）である。
【図１７】本発明の変形例１のバスダクトプラグインホール保護構造及びバスダクトの詳細を示す図であり、（ａ）が模式断面図であり、（ｂ）がＭ−Ｍの模式断面図であり、（ｃ）がＮ−Ｎの模式断面図である。
【図１８】本発明の変形例１のバスダクトプラグインホール保護構造のプラグインホールにプラグイン装置を挿入する過程を示す模式図であり、（ａ）が挿入前の図、（ｂ）が挿入中の図、（ｃ）が挿入後の図である。
【図１９】本発明の変形例２のバスダクトプラグインホール保護構造及びバスダクトの詳細を示す図であり、（ａ）が平面図であり、（ｂ）がＯ−Ｏの模式断面図であり、（ｃ）がＰ−Ｐの模式断面図である。
【図２０】本発明の他の実施形態のロック部材の詳細を示す図であり、（ａ）が平面図であり、（ｂ）が正面図であり、（ｃ）が側面図である。
【図２１】本発明の他の実施形態のロック部材とロックバネ部材の動きの説明に用いる模式図であり、（ａ）がロックバネ部材圧縮前の図であり、（ｂ）がロックバネ部材圧縮後の図である。
【図２２】本発明の他の実施形態（変形例３）のロック部材の詳細を示す斜視図である。
【図２３】本発明の変形例３のシャッタ部材の詳細を示す斜視図であり、（ａ）がシャッタ閉塞状態の上方斜視図であり、（ｂ）がシャッタ閉塞状態の下方斜視図であり、（ｃ）がシャッタ開放態の上方斜視図であり、（ｄ）がシャッタ開放状態の下方斜視図ある。
【図２４】本発明の変形例３のプラグイン装置を挿入する過程を示す斜視図であり、（ａ）が挿入前の図、（ｂ）が挿入中の図である。
【図２５】本発明の変形例４のバスダクトプラグインホール保護構造の模式断面図である。
【図２６】本発明の変形例４のバスダクトプラグインホール保護構造のシャッタ部材の詳細を示す図であり、（ａ）がシャッタ閉塞時の平面図であり、（ｂ）がシャッタ閉塞時の側面図であり、（ｃ）がシャッタ閉塞時の底面図であり、（ｄ）がシャッタ開放時の平面図であり、（ｅ）がシャッタ開放時の側面図であり、（ｆ）がシャッタ開放時の底面図である。
【発明を実施するための形態】
【００３９】  以下、本発明のバスダクトプラグインホール保護構造について図面に基づいて説明する。尚、本発明は、以下で説明する各実施形態に限定されるものではなく、それぞれ実施形態を部分的に組み合わせる、不要箇所を削除するなど、本発明の要旨の範囲内で適用可能である。
【００４０】《第１実施形態》
先ず、本発明の第１実施形態のバスダクトプラグインホール保護構造について、図１乃至図３を用いて説明する。尚、図１は、本発明の第１実施形態のバスダクトプラグインホール保護構造のバスダクトを示す図であり、（ａ）が平面図であり、（ｂ）が側面図である。また、図２は、本発明の第１実施形態のバスダクトプラグインホール保護構造及びバスダクトの詳細を示す図であり、（ａ）がＡ−Ａの模式断面図であり、（ｂ）がＢ−Ｂの模式断面図であり、（ｃ）がＣ−Ｃの模式断面図である。また、図３は、本発明の第１実施形態のバスダクトプラグインホール保護構造のプラグインホールにプラグイン装置を挿入する過程を示す模式図であり、（ａ）が挿入前の図、（ｂ）が指示円Ｓ１部分の拡大図（挿入前）、（ｃ）が指示円Ｓ１部分の拡大図（挿入中）、（ｄ）が指示円Ｓ１部分の拡大図（挿入後）である。
【００４１】  第１実施形態のバスダクトプラグインホール保護構造１は、例えば空気層によって絶縁された空気絶縁型の複数（この場合、一例としてＲＳＴ三相＋中性相の四本）のバスダクト導体２をハウジング１１内部に収容したバスダクト１０と、バスダクト１０の各バスダクト導体２それぞれに対応する複数（この場合、一例として四個）の接触子２１を有するプラグイン装置２０を具えている（図３参照）。そして、バスダクト１０に設けられたプラグインホール１２に対してプラグイン装置２０の接触子２１が挿入（プラグイン）されてバスダクト導体２と接続されることにより、電気幹線の主幹としてのバスダクト１０に対してプラグイン装置２０が電気的に接続されるようになっている。以下、第１実施形態のバスダクトプラグインホール保護構造１の詳細を説明していく。
【００４２】  先ず、第１実施形態のバスダクトプラグインホール保護構造１を構成するバスダクト１０について説明する。図１及び図２に示すように、バスダクト１０は、空気層によって絶縁された空気絶縁型の四本のバスダクト導体２が、図示しない絶縁ホルダによって支持されてハウジング１１の内部に配置されている。ハウジング１１は、全体として断面視で中空の略直方体形状（すなわち略ロ字形状）であり、一対のハウジング半体を組み合わせて形成されている。尚、バスダクト１０の絶縁は空気絶縁型だけに限らず、絶縁性のシートで覆うことで絶縁する絶縁被覆型のものでも良い。
【００４３】  一対のハウジング半体は、断面視で下側に開放した略コ字形状の上側ハウジング半体１１ａと、断面視で上側に開放した略コ字形状の下側ハウジング半体１１ｂとからなる。これら上側ハウジング半体１１ａおよび下側ハウジング半体１１ｂには、その両側壁を、断面視で内方から外方に略凸形状に突出変形させることで形成された突出部としての補強部１４がバスダクト１０の長手方向に沿って設けられ、電気幹線を形成するバスダクト１０全体の強度を向上するようになされている。
【００４４】  また、下側ハウジング半体１１ｂは、その幅（側壁同士の間隔）が上側ハウジング半体１１ａの幅よりも僅かに狭く形成されている。これにより、下側ハウジング半体１１ｂの開放端を上にして配置し、その上から上側ハウジング反対１１ａの開放端を覆い被せると、側壁の補強部１４同士が嵌合することになり、側壁の嵌合部分をビス留め等して固定することでハウジング１１が組み立てられるようになされている。そして、組み立て後のハウジング１１における両側壁の補強部１４の内側には、側壁を略凸形状に突出変形させることに伴い、略凹形状の突出空間としての補強空間１５（上から順に１５ａ・１５ｂ・１５ｃ）が形成される。
【００４５】  上側ハウジング半体１１ａは、図１に示すように、その上面にプラグインホール１２が所定間隔で複数形成されており、上側ハウジング半体１１ａの内側に配置されたシャッタ部材１３によって閉塞されている。尚、ここでは一例として、プラグインホール１２を上側ハウジング半体１１ａに複数形成するようにした場合について述べるが、プラグインホール１２が形成されるのは下側ハウジング半体１１ｂでも良いし、上側ハウジング半体１１ａと下側ハウジング半体１１ｂの両方でも良く、その数や配置も特に限定しない。
【００４６】  プラグインホール１２を閉塞する扉部材あるいは開閉部材としてのシャッタ部材１３は、図２に示すように、プラグインホール１２をバスダクト１０の長手方向に二分して閉塞するかのようにしてお互いに対向して配置された一対の第１シャッタ部材１３ａ及び第２シャッタ部材１３ｂとからなり、これら第１シャッタ部材１３ａ及び第２シャッタ部材１３ｂのそれぞれに、両側壁の補強空間１５ａ同士の間を架け渡せる長さの閉塞部１３ｃが形成されている。また、この閉塞部１３ｃの両端側には、補強空間１５ａの高さよりも僅かに低いスライド部１３ｄが形成されている。すなわち、これら第１シャッタ部材１３ａ及び第２シャッタ部材１３ｂは、ハウジング１１の両側壁の補強空間１５ａ・１５ａに閉塞部１３ｃが架け渡されると、補強空間１５ａの内部に位置決めされると共に、スライド部１３ｄがスライド可能な状態で補強空間１５ａ内に収納されるようになされている。これにより、第１シャッタ部材１３ａ及び第２シャッタ部材１３ｂは、プラグインホール１２を両開き式にスライド開閉できるようになされている。
【００４７】  このように、第１実施形態のシャッタ部材１３がスライド開閉式であるため、例えば作業者が不用意にシャッタ部材１３に触れてしまうような場合に、プラグインホール１２に直交する方向の力が加えられてもシャッタ部材１３が開くことはなく、その分、プラグインホール１２の保護が強固なものとなる。また、シャッタ部材１３が第１シャッタ部材１３ａ及び第２シャッタ部材１３ｂからなる両開きのスライド開閉式であるため、一方のシャッタ部材が開く方向の力が加えられても他方のシャッタ部材が開くことはなく、つまりは、例えば作業者が不用意にシャッタ部材に触れてしまうような場合に、第１シャッタ部材１３ａと第２シャッタ部材１３ｂの両方が一度に開いてしまう危険性を極力回避でき、その分、プラグインホール１２の保護が強固なものとなる。
【００４８】  また、第１シャッタ部材１３ａ及び第２シャッタ部材１３ｂには、プラグインホール１２の閉塞時に相互に接触する閉塞部１３ｃの端辺の全域に亘って、プラグインホール１２の外方から内方に向けて傾斜するシャッタ開放ガイド部１３ｅが設けられている。このシャッタ開放ガイド部１３ｅに対し、後述するプラグイン装置２０のシャッタ開放部（扉開放部）が押し当てられることによって、プラグイン装置２０を挿入する方向の動きが第１シャッタ部材１３ａ及び第２シャッタ部材１３ｂを開放方向にスライドさせる動きに変換されるようになされている。尚、シャッタ開放ガイド部１３ｅは、プラグインホール１２の閉塞時に相互に接触する閉塞部１３ｃの端辺のうち、少なくとも後述するシャッタ開放部が接触する部分に形成されていれば良い。
【００４９】  さらに、これら第１シャッタ部材１３ａ及び第２シャッタ部材１３ｂは、螺旋（コイル）状のバネ部材１６によって相互に連結されている。具体的には、第１シャッタ部材１３ａのスライド部１３ｄの近傍で閉塞部１３ｃにおける第２シャッタ部材１３ｂの反対側の位置にバネ係止部１３ｆが設けられており、また、第２シャッタ部材１３ｂの両側のスライド部１３ｄの近傍で閉塞部１３ｃにおける第１シャッタ部材１３ａの反対側の位置に、バネ係止部１３ｆが設けられている。そして、第１シャッタ部材１３ａのバネ係止部１３ｆと第２シャッタ部材１３ｂのバネ係止部１３ｆとを連結するようにして、バネ部材１６が係止されている。
【００５０】  これにより、第１シャッタ部材１３ａ及び第２シャッタ部材１３ｂは、バネ部材１６によって相互に引き付けられるため、相互に近づく方向、すなわちプラグインホール１２を閉塞する方向にお互いが付勢されるようになっている。このとき、一つのバネ部材１６で第１シャッタ部材１３ａと第２シャッタ部材１３ｂの両方を付勢しているため、それぞれにバネ部材を別個に設ける場合よりもバネ部材の数が半分になり、その分だけ構造が簡単で部品数も少なくコストがかからなくて済む。
【００５１】  また、第１シャッタ部材１３ａの一方の端と第２シャッタ部材１３ｂの一方の端がバネ部材１６によって連結されると共に、第１シャッタ部材１３ａの他方の端と第２シャッタ部材１３ｂの他方の端がバネ部材１６によって連結されるため、これら第１シャッタ部材１３ａ及び第２シャッタ部材１３ｂと二本のバネ部材１６とがユニット化された状態となる（図２（ｂ））。すなわち、ハウジング１１の組み立て時において、このユニット化された第１シャッタ部材１３ａ及び第２シャッタ部材１３ｂと二本のバネ部材１６を取り付けるだけで済むことになるため、個々の部材を別個に取り付ける場合に比べて組み立て作業が容易になるという利点がある。
【００５２】  ここで、補強空間１５ａには、上側ハウジング半体１１ａの外側から上板を貫通するようにして、ボルトやビスを締結したりリベット等を打ち込むことにより、第１シャッタ部材１３ａ及び第２シャッタ部材１３ｂの移動を規制する規制部１７が設けられている。この規制部１７は、例えば、プラグインホール１２のバスダクト１０の長手方向における略中央に設けられることにより、第１シャッタ部材１３ａが規制部１７を越えて第２シャッタ部材１３ｂ側へ移動することを規制すると共に、第２シャッタ部材１３ｂが規制部１７を越えて第１シャッタ部材１３ａ側へ移動することを規制するようになされている。尚、この規制部１７は、第１シャッタ部材１３ａ用と第２シャッタ部材１３ｂ用とに別に設けても良い。
【００５３】  これにより、第１実施形態のバスダクトプラグインホール保護構造１のようにバネ部材１６がバスダクト１０のハウジング１１に固定されていない状態においても、第１シャッタ部材１３ａ及び第２シャッタ部材１３ｂが所定位置を越えて移動してしまうような事態、すなわち第１シャッタ部材１３ａ及び第２シャッタ部材１３ｂがずれてプラグインホール１２が不用意に開放されてしまうような事態を、規制部１７を補強空間１５ａに設けるという簡易な構造だけで容易に回避できる。
【００５４】  このように、第１実施形態のバスダクトプラグインホール保護構造１のバスダクト１０は形成されており、プラグインホール２を閉塞するシャッタ部材１３（第１シャッタ部材１３ａ及び第２シャッタ部材１３ｂ）と、シャッタ部材１３を閉塞方向に付勢するバネ部材１６とを別部材によって形成しているため、シャッタ部材１３の強度とバネ部材１６の強度とを別個に設定することができる。すなわち、本発明によれば、プラグイン装置２０のプラグイン時の施工性を悪化させることなく強固な保護構造を提供することができるため、作業者の感電等を防ぐための強固な保護とプラグイン時の施工性とを両立可能な保護構造を提供することができる。
【００５５】  また、第１実施形態のバスダクトプラグインホール保護構造１のバスダクト１０において、断面視略ロ字形状のハウジング１１には、断面視で内方から外方に略凸形状に突出する突出部としての補強部１４が形成されており、シャッタ部材１３を構成する部材の一部とバネ部材１６と規制部１７とが（すなわち、プラグインホールを閉塞することに関わる部材の一部が）、補強部１４の内側の略凹形状の突出空間としての補強空間１５ａに配置されている。このため、バスダクト１０の内部に収納されているバスダクト導体２とハウジング１１との間の空間絶縁距離や沿面距離等を極力阻害することなく、シャッタ部材１３の一部やバネ部材１６といったプラグインホールを閉塞することに関わる部材の一部をハウジング１１の内部に収納することができる。すなわち、シャッタ部材１３等のプラグインホールを閉塞することに関わる部材を設けることに起因して空間絶縁距離や沿面距離等を確保するためにバスダクト１０が巨大化してしまうような事態を極力回避し得る。
【００５６】  次に、第１実施形態のバスダクトプラグインホール保護構造１を構成するプラグイン装置２０について説明する。プラグイン装置２０は、図３に示すように、遮断器等（図示せず）を内部に収納した箱形状の本体部２２と、バスダクト１０の各バスダクト導体２それぞれに対応して本体部２２から突設された複数（この場合、一例として四個）のクリップ状の接触子２１と、この接触子２１を支持すると共に保護するための絶縁樹脂製の絶縁ホルダ２３と、シャッタ部材１３を開放するためのシャッタ開放部２４とを有している。
【００５７】  ここで、絶縁ホルダ２３は、プラグイン時にバスダクト導体２を受け入れる溝２３ａがバスダクト１０のバスダクト導体２の位置に合わせて複数個並べて形成され、この溝２３ａに接触子２１が配置されるようになされている。また、絶縁ホルダ２３は、全体として略直方体形状をしており、底面視においてプラグインホール１２よりも僅かに小さい略相似形状に形成されている。
【００５８】  シャッタ開放部２４は、絶縁ホルダ２３の両側の側壁２３ｂに沿って設けられ、側壁２３ｂと同じ幅、あるいは側壁２３ｂよりも幅広に形成されている。これにより、プラグイン挿入時、シャッタ開放部２４によって第１シャッタ部材１３ａ及び第２シャッタ部材１３ｂを開放する際、絶縁ホルダ２３に第１シャッタ部材１３ａ及び第２シャッタ部材１３ｂが引っかかることなく挿入することができる。尚、シャッタ開放部２４を主として、各部材を導電性の部材で形成することで、このシャッタ開放部２４を介してバスダクト１０とプラグイン装置２０とをアース接続することも可能である。また、シャッタ開放部２４には、絶縁ホルダ２３よりも下方に突出する左右対称で略二等辺三角形状の開放片２４ａが形成されている。この開放片２４ａは、絶縁ホルダ２３側に僅かに屈曲形成されている。これにより、プラグイン挿入時、シャッタ開放部２４の開放片２４ａがプラグインホール１２に挿入し易くなる。
【００５９】  このように、第１実施形態のバスダクトプラグインホール保護構造１のプラグイン装置２０は形成されており、シャッタ開放部２４が設けられている点に特徴がある。
【００６０】  以下、第１実施形態のバスダクトプラグインホール保護構造１において、プラグインホール１２に対してプラグイン装置２０を挿入する際の動作について図３を用いて説明する。
【００６１】  図３（ａ）及び（ｂ）は、バスダクト１０のプラグインホール１２に対してプラグイン装置２０を挿入する前の状態を示す図であり、シャッタ開放部２４の略二等辺三角形状の開放片２４ａの先端が、第１シャッタ部材１３ａのシャッタ開放ガイド部１３ｅと第２シャッタ部材１３ｂのシャッタ開放ガイド部１３ｅとが接する部分の略直上に位置するようにプラグイン装置２０が配置されている。
【００６２】  図３（ｃ）は、プラグインホール１２に対してプラグイン装置２０を近づけて挿入する動作が開始された状態を示す図であり、シャッタ開放部２４の略二等辺三角形状の開放片２４ａの先端が第１シャッタ部材１３ａのシャッタ開放ガイド部１３ｅと第２シャッタ部材１３ｂのシャッタ開放ガイド部１３ｅとに接触し、第１シャッタ部材１３ａ及び第２シャッタ部材１３ｂを相互に離間する方向にスライドさせている。すなわち、シャッタ開放ガイド部１３ｅに対してシャッタ開放部２４の略三角形状の開放片２４ａが押し当てられることによって、プラグイン装置２０を近づけて挿入する方向の動作が第１シャッタ部材１３ａ及び第２シャッタ部材１３ｂを開放方向にスライドさせる動作に変換されており、その力がバネ部材１６の付勢力を越えたときに、プラグインホール１２が開放されていくようになされている。
【００６３】  図３（ｄ）は、プラグインホール１２に対してプラグイン装置２０を挿入する動作が完了した状態を示す図であり、シャッタ開放部２４の略二等辺三角形状の開放片２４ａによって第１シャッタ部材１３ａと第２シャッタ部材１３ｂとが開放され、絶縁ホルダ２３とこの絶縁ホルダ２３に保護された接触子２１とがプラグインホール１２の内部に挿入されている。その結果、クリップ状の各接触子２１が対応するバスダクト導体２を挟持することになり、バスダクト１０とプラグイン装置２０との電気的接続が達成される。
【００６４】  尚、絶縁ホルダ２３の正面側の略中央には誤挿入防止リブ２３ｃが形成されている（図３（ａ）参照）。また、プラグインホール１２の縁には、プラグイン時にこの誤挿入防止リブ２３ｃを通過させるための誤挿入防止切欠１２ａが形成されている（図１（ａ）及び図２（ｂ）参照）。これにより、バスダクトプラグインホール保護構造１では、プラグイン時において、プラグインホール１２の誤挿入防止切欠１２ａを通過する方向以外のプラグイン装置２０の挿入が絶縁ホルダ２３の誤挿入防止リブ２３ｃにより防止される。
【００６５】  このように、第１実施形態のバスダクトプラグインホール保護構造１は、バスダクト１０のプラグインホール１２に対してプラグイン装置２０を挿入する（近づける）動作により、図３（ｂ）→（ｃ）→（ｄ）のように、第１シャッタ部材１３ａ及び第２シャッタ部材１３ｂが自動で開放されるようになされている。
【００６６】  また、第１実施形態のバスダクトプラグインホール保護構造１において、プラグインホール１２からプラグイン装置２０を引き抜く際のシャッタ部材１３の動作については、第１シャッタ部材１３ａ及び第２シャッタ部材１３ｂがバネ部材１６によってプラグインホール１２の閉塞方向に常に付勢されているため、単純に挿入時とは逆の動作となり、図３（ｄ）→（ｃ）→（ｂ）のように、第１シャッタ部材１３ａ及び第２シャッタ部材１３ｂが自動で閉塞されるようになされている。
【００６７】  以上説明したように、第１実施形態のバスダクトプラグインホール保護構造１は、プラグイン装置２０の未接続時にはシャッタ部材１３でプラグインホール１２を閉塞し、バスダクト１０のプラグインホール１２に対するプラグイン装置２０の着脱の際にはその動作に応じてシャッタ部材１３が自動で開閉されるようになされており、作業者の感電等を防ぐための強固な保護とプラグイン時の施工性との両方を提供できる。
【００６８】《第２実施形態》
次に、本発明の第２実施形態のバスダクトプラグインホール保護構造１００について、図４及び図５を用いて説明する。尚、図４は、本発明の第２実施形態のバスダクトプラグインホール保護構造及びバスダクトの詳細を示す図であり、（ａ）が模式断面図であり、（ｂ）がＤ−Ｄの模式断面図であり、（ｃ）がＥ−Ｅの模式断面図である。また、図５は、本発明の第２実施形態のバスダクトプラグインホール保護構造のプラグインホールにプラグイン装置を挿入する過程を示す模式図であり、（ａ）が挿入前の拡大図、（ｂ）が挿入中の拡大図、（ｃ）が挿入後の拡大図である。
【００６９】  尚、第２実施形態のバスダクトプラグインホール保護構造１００は、シャッタ部材及びバネ部材の構造が、第１実施形態のバスダクトプラグインホール保護構造１とは異なる。よって、この第２実施形態では、説明の便宜上、第１実施形態と同様の構成又は相当する部分となるものには同じ符号を付すと共に、第１実施形態と異なる部分（すなわちシャッタ部材及びバネ部材の構造）を詳細に説明し、同様の構成の部分については説明を省略する。
【００７０】  第２実施形態のシャッタ部材１３は、図４に示すように、第１実施形態と同様にプラグインホール１２を両開き式にスライド開閉可能な一対の第１シャッタ部材１３ａ及び第２シャッタ部材１３ｂとからなり、螺旋（コイル）状のバネ部材１１６と例えばボルトおよびナットからなる連結部材１８とによって相互に連結されている。
【００７１】  具体的には、第１シャッタ部材１３ａのスライド部１３ｄにおける第２シャッタ部材１３ｂ側の位置に、スライド部１３ｄを内側に屈曲延設するようにしてバネ止部１１３ｆが設けられており、また、第２シャッタ部材１３ｂのスライド部１３ｄにおける第１シャッタ部材１３ａ側の位置に、スライド部１３ｄを内側に屈曲延設するようにしてバネ止部１１３ｆが設けられている。また、第１シャッタ部材１３ａ及び第２シャッタ部材１３ｂそれぞれのバネ止部１１３ｆには、連結部材１８を挿通可能であると共にバネ部材１１６を挿通不可能な大きさの挿通孔１１３ｇが設けられている。
【００７２】  そして、第１シャッタ部材１３ａの挿通孔１１３ｇと第２シャッタ部材１３ｂの挿通孔１１３ｇとを連結するように連結部材１８が挿通され、第１シャッタ部材１３ａのバネ止部１１３ｆと連結部材１８の一方の端部１８ａとの間に一本目のバネ部材１１６が収まるように、この螺旋状のバネ部材１１６に連結部材１８が挿通されており、同様に、第２シャッタ部材１３ｂのバネ止部１１３ｆと連結部材１８の他方の端部１８ｂとの間に二本目のバネ部材１１６が収まるように、この螺旋状のバネ部材１１６に連結部材１８が挿通されている。
【００７３】  その結果、第１シャッタ部材１３ａ側のバネ部材１１６は、その一端側で連結部材１８の一方の端部１８ａを押圧すると共に他端側でバネ止部１１３ｆを押圧するようになされている。同様に、第２シャッタ部材１３ａ側のバネ部材１１６は、その他端側で連結部材１８の他方の端部１８ｂを押圧すると共に一端側でバネ止部１１３ｆを押圧するようになされている。
【００７４】  このようにして、第２実施形態のバスダクトプラグインホール保護構造１００において、第１シャッタ部材１３ａ及び第２シャッタ部材１３ｂは、バネ部材１１６によって相互に近づく方向、すなわちプラグインホール１２を閉塞する方向にお互いが付勢されるようになっている。その結果、この第２実施形態のバスダクトプラグインホール保護構造１００においても、上述した第１実施形態のバスダクトプラグインホール保護構造１と同様の効果を得ることができる。
【００７５】  一方で、第２実施形態のバスダクトプラグインホール保護構造１００において、バネ部材１１６が第１シャッタ部材１３ａ及び第２シャッタ部材１３ｂのそれぞれに別個に設けられ、螺旋状のバネ部材１１６の中に連結部材１８が挿通されている点が、第１実施形態のバスダクトプラグインホール保護構造１の第１シャッタ部材１３ａ及び第２シャッタ部材１３ｂとは異なる。
【００７６】  これにより、仮に、何らかの原因によってバネ部材１１６が断線した場合であっても、バネ部材１１６が連結部材１８に挿通されているため、断線したバネ部材１１６が垂下して、バスダクト導体２とハウジング１１との間の空間絶縁距離や沿面距離等を阻害したり、バスダクト導体２と短絡してしまったりといった事態が発生することを回避できるようになされている。
【００７７】  また、第２実施形態のバスダクトプラグインホール保護構造１００においても、シャッタ部材１３を構成する部材の一部とバネ部材１１６と規制部１７と連結部材１８、すなわちプラグインホール１２を閉塞することに関わる部材の一部が、補強部１４の内側の略凹形状の補強空間１５（この場合、特に補強部１５ａ）に配置されている。このため、バスダクト１０の内部に収納されているバスダクト導体２とハウジング１１との間の空間絶縁距離や沿面距離等を極力阻害することなく、プラグインホール１２を閉塞することに関わる部材の一部をハウジング１１の内に収納することができる。すなわち、第２実施形態のバスダクトプラグインホール保護構造１００においても、第１実施形態と同様に、シャッタ部材１３を設けることに起因して空間絶縁距離や沿面距離等を確保するためにバスダクト１０が巨大化してしまうような事態を極力回避し得る。
【００７８】  以下、第２実施形態のバスダクトプラグインホール保護構造１００において、プラグインホール１２に対してプラグイン装置２０を近づけて挿入する際のシャッタ部材１３の動作について図５を用いて説明する。
【００７９】  図５（ａ）は、バスダクト１０のプラグインホール１２に対してプラグイン装置２０の接触子２１を近づけて挿入する直前の状態を示す図であり、シャッタ開放部２４の略二等辺三角形状の開放片２４ａの先端が、第１シャッタ部材１３ａのシャッタ開放ガイド部１３ｅと第２シャッタ部材１３ｂのシャッタ開放ガイド部１３ｅとが接する部分の略直上に位置するようにプラグイン装置２０が配置されている。
【００８０】  図５（ｂ）は、プラグインホール１２に対してプラグイン装置２０を近づけて挿入する動作が開始された状態を示す図であり、シャッタ開放部２４の略二等辺三角形状の開放片２４ａの先端が第１シャッタ部材１３ａのシャッタ開放ガイド部１３ｅと第２シャッタ部材１３ｂのシャッタ開放ガイド部１３ｅとに接触し、第１シャッタ部材１３ａ及び第２シャッタ部材１３ｂが相互に離間する方向にスライドさせている。すなわち、シャッタ開放ガイド部１３ｅに対してシャッタ開放部２４の略三角形状の開放片２４ａが押し当てられることによって、プラグイン装置２０を挿入する方向の動作が第１シャッタ部材１３ａ及び第２シャッタ部材１３ｂを開放方向にスライドさせる動作に変換されており、その力がバネ部材１１６の付勢力を越えたときに、プラグインホール１２が開放されていくようになされている。
【００８１】  図５（ｃ）は、プラグインホール１２に対してプラグイン装置２０を挿入する動作が完了した状態を示す図であり、シャッタ開放部２４の略二等辺三角形状の開放片２４ａによって第１シャッタ部材１３ａと第２シャッタ部材１３ｂとが開放され、絶縁ホルダ２３とこの絶縁ホルダ２３に保護された接触子２１とがプラグインホール１２の内部に挿入されている。その結果、クリップ状の各接触子２１が対応するバスダクト導体２を挟持することになり、バスダクト１０とプラグイン装置２０との電気的接続が達成される。
【００８２】  このように、第２実施形態のバスダクトプラグインホール保護構造１００も、第１実施形態のバスダクトプラグインホール保護構造１と同様に、バスダクト１０のプラグインホール１２に対するプラグイン装置２０の挿入動作により、図５（ａ）→（ｂ）→（ｃ）のように、第１シャッタ部材１３ａ及び第２シャッタ部材１３ｂが自動で開放されるようになされている。
【００８３】  また、第２実施形態のバスダクトプラグインホール保護構造１００において、プラグインホール１２からプラグイン装置２０を引き抜く際のシャッタ部材１３の動作についても、第１実施形態のバスダクトプラグインホール保護構造１と同様に、第１シャッタ部材１３ａ及び第２シャッタ部材１３ｂがバネ部材１１６によってプラグインホール１２の閉塞方向に常に付勢されているため、単純に挿入時とは逆の動作となり、図５（ｃ）→（ｂ）→（ａ）のように、第１シャッタ部材１３ａ及び第２シャッタ部材１３ｂが自動で閉塞されるようになされている。
【００８４】  以上説明したように、第２実施形態のバスダクトプラグインホール保護構造１００も、プラグイン装置２０の未接続時にはシャッタ部材１３でプラグインホール１２を閉塞し、バスダクト１０のプラグインホール１２に対するプラグイン装置２０の着脱の際にはその動作に応じてシャッタ部材１３が自動で開閉されるようになされており、作業者の感電等を防ぐための強固な保護とプラグイン時の施工性との両方を提供できる。
【００８５】《第３実施形態》
次に、本発明の第３実施形態のバスダクトプラグインホール保護構造２００について、図６乃至図１１を用いて説明する。尚、図６は、本発明の第３実施形態のバスダクトプラグインホール保護構造及びバスダクトの詳細を示す図であり、（ａ）が平面図であり、（ｂ）がＦ−Ｆの模式断面図であり、（ｃ）がＧ−Ｇの模式断面図である。図７は、本発明の第３実施形態のバスダクトプラグインホール保護構造のロック部材の詳細を示す図であり、（ａ）が平面図であり、（ｂ）が正面図であり、（ｃ）が側面図である。また、図８は、本発明の第３実施形態のバスダクトプラグインホール保護構造のロック部材収納部の詳細を示す図であり、（ａ）が平面図であり、（ｂ）が正面図であり、（ｃ）がＨ−Ｈの模式断面図である。また、図９は、本発明の第３実施形態のバスダクトプラグインホール保護構造におけるロック構造の詳細を示す図であり、（ａ）がロック状態を示す図であり、（ｂ）がロック解除状態を示す図である。尚、この図９においては、構成が判り易くなるようロック部材３０を特に斜線で示している。また、図１０は、本発明の第３実施形態のバスダクトプラグインホール保護構造におけるシャッタ部材のロック状態の詳細を示す平面図である。また、図１１は、本発明の第３実施形態のバスダクトプラグインホール保護構造のプラグインホールにプラグイン装置を挿入する過程を示す模式図であり、（ａ）が挿入前の図、（ｂ）が指示円Ｓ２部分の拡大図（挿入前）、（ｃ）が指示円Ｓ２部分の拡大図（ロック解除）、（ｄ）が指示円Ｓ２部分の拡大図（挿入後）である。
【００８６】  尚、第３実施形態のバスダクトプラグインホール保護構造２００は、シャッタ部材（扉部材あるいは開閉部材）の開閉機構が第１実施形態及び第２実施形態とは異なる上、ロック機構およびロック解除機構も有する。よって、この第３実施形態では、説明の便宜上、第１実施形態及び第２実施形態と同様の構成又は相当する部分となるものには同じ符号を付すと共に、第１実施形態及び第２実施形態と異なる部分（すなわちシャッタ部材の構造とロック機構およびロック解除機構）を詳細に説明し、同様の構成の部分については説明を省略する。
【００８７】  先ず、第３実施形態のバスダクトプラグインホール保護構造２００のシャッタ部材２１３は、図６に示すように、プラグインホール１２をバスダクト１０の長手方向に二分するかのようにしてお互いに対向して配置された一対の第１シャッタ部材２１３ａ及び第２シャッタ部材２１３ｂと、これらシャッタ部材２１３ａ及び第２シャッタ部材２１３ｂを囲うように設けられた枠体２１３ｈを有しており、全体としてユニット化され、バスダクト１０の上側ハウジング半体１１ａの外側からプラグインホール１２に嵌合されている。
【００８８】  第１シャッタ部材２１３ａ及び第２シャッタ部材２１３ｂのそれぞれは、枠体２１３ｈによって囲まれた領域（以下、これも便宜的にプラグインホール１２とする）を閉塞した際に上面に位置する閉塞部２１３ｃと、第１シャッタ部材２１３ａ及び第２シャッタ部材２１３ｂをプラグインホール１２に対して観音開きするように回動可能に保持させるための一対の円柱状の回動軸２１３ｉとを有している（図６及び図１１参照）。
【００８９】  また、枠体２１３ｈの内壁には、これら回動軸２１３ｉに対応する位置に、回動軸２１３ｉよりも僅かに径が大きい円柱状の回動穴（図示せず）が形成されている。これにより、第１シャッタ部材２１３ａ及び第２シャッタ部材２１３ｂは、回動軸２１３ｉが枠体２１３ｈの回動穴に回動可能な状態で保持され、プラグインホール１２を観音開き式に開閉できるようになされている。尚、この回動式（この場合両開きなので観音開き式）の開閉は、ヒンジ部材を別途取り付けるものでも、薄肉部を形成することによるものでも、どんな構造でもよい。
【００９０】  また、閉塞部２１３ｃは、回動軸２１３ｉ側から先端側にかけての中程で厚みが１／２程度に薄くなり、先端側で更に１／２程度に薄くなるように形成されている。そして、閉塞部２１３ｃの先端側において厚みが変化する部分に、第１及び第２実施形態のシャッタ開放ガイド部１３ｅに相当するシャッタ開放ガイド部２１３ｅが設けられている。
【００９１】  また、第１シャッタ部材２１３ａ及び第２シャッタ部材２１３ｂの閉塞部２１３ｃにおいて、厚み１／２程度になっている部分の上部には、枠体２１３ｈの内壁上端からシャッタ係止部２１３ｊが延設されている（図６参照）。これにより、第１シャッタ部材２１３ａ及び第２シャッタ部材２１３ｂは、プラグインホール１２を閉塞した状態よりもハウジング１１の内側方向には回動して開くことができるものの、プラグインホール１２を閉塞した状態よりもハウジング１１の外側方向には開くことができないようになされている。尚、プラグインホール１２を閉塞した状態よりもハウジング１１の外側方向に第１シャッタ部材２１３ａ及び第２シャッタ部材２１３ｂを開けないように係止できるのであれば、シャッタ係止部２１３ｊを設ける位置や大きさ、個数については適宜である。
【００９２】  さらに、第１シャッタ部材２１３ａの回動軸２１３ｉには、螺旋（コイル）状のバネ部材２１６が挿通され、その一端が第１シャッタ部材２１３ａの裏面に係止されると共に、その他端が枠体２１３ｈの内壁に係止されるようになされている。また、第２シャッタ部材２１３ｂの回動軸２１３ｉについても、同様にバネ部材２１６は挿通されてその一端が第２シャッタ部材２１３ｂの裏面に係止されると共に、その他端が枠体２１３ｈの内壁に係止されるようになされている。
【００９３】  これにより、第３実施形態のバスダクトプラグインホール保護構造２００のシャッタ部材２１３は、第１シャッタ部材２１３ａおよび第２シャッタ部材２１３ｂのそれぞれを、ハウジング１１の内側から外側へ回動するように付勢している。
【００９４】  これにより、第１シャッタ部材２１３ａ及び第２シャッタ部材２１３ｂは、プラグイン装置が接続されていない状態においてプラグインホール１２を常に閉塞し続けるようになされており、また、バネ部材２１６の付勢力を越える力でプラグイン装置が挿入されるとプラグインホール１２を開放し、そして、接続されていたプラグイン装置を引き抜く際には、自動でプラグインホール１２を閉塞するようになされている。
【００９５】  次に、第３実施形態のバスダクトプラグインホール保護構造２００における、シャッタ部材２１３のロック機構について説明する。このロック機構は、ロック状態において第１シャッタ部材２１３ａ及び第２シャッタ部材２１３ｂが観音開き式に回動してプラグインホール１２を開放しないようにしつつ、ロックが解除された場合には開放できるようにするためのものであり、第１シャッタ部材２１３ａ及び第２シャッタ部材２１３ｂが閉塞状態において突き合わされている端辺の端部近傍に設けられ（図６の指示円Ｓ２の部分）、図７乃至図１０に示すように、ロック部材３０を、シャッタ部材２１３の枠体２１３ｈに穿たれたロック部材収納部４０に対してスライド可能な状態に設けることによって実現される。
【００９６】  具体的には、ロック部材３０は、図７に示すように、平板状で平面視略方形のロック基部３１と、ロック基部３１の上面の略中央付近から上方に略四角柱状に突出したロック頭部３２とを有している。一方、ロック部材収納部４０は、図８に示すように、シャッタ部材２１３の枠体２１３ｈの内部に形成され、ロック部材３０の正面図と略同形状でこのロック部材３０を挿入可能な正面側開口４１と、挿入されたロック部材３０をスライド可能に収納するスライド室４２と、挿入されたロック部材３０が所定位置より正面側開口４１側にスライドしないように保持し続けるための係止部４３と、挿入されたロック部材３０のロック頭部３２の上面を上方に露出するための上面側開口４４と、挿入されたロック部材３０を正面側開口４１の方に付勢する板バネ形状のロックバネ部材５０（図９参照）を収納するためのバネ保持室４５とを備えている。
【００９７】  尚、ロック部材３０及びロック部材収納部４０は、シャッタ部材２１３の枠体２１３ｈに穿設されたロック部材収納部４０にロック部材３０がスライド可能な状態で設置できるのであれば、各部位の形状や大きさは適宜である。
【００９８】  そして、第３実施形態のバスダクトプラグインホール保護構造２００のロック機構は、ロック部材収納部４０のバネ保持室４５にロックバネ部材５０が下の開口からセットされた状態で正面側開口４１からロック部材３０が挿入されると、図９（ａ）に示すように、ロックバネ部材５０の付勢力によってロック部材３０が係止部４３に押し付けられた状態となる。この状態において、ロック基部３１の一部が枠体２１３ｈの内壁からプラグインホール１２側に突出するようになされており（以下、ここを突出部分３３とする）、図１０に示すように、この突出部分３３が、第１シャッタ部材２１３ａ及び第２シャッタ部材２１３ｂが閉塞状態において突き合わされている端辺の端部の下側に配置されることで、第１シャッタ部材２１３ａ及び第２シャッタ部材２１３ｂがハウジング１１の内側方向に回動して開くことを係止（すなわちロック）するようになされている。すなわちこれがロック状態である。
【００９９】  一方、第３実施形態のバスタクトプラグインホール保護構造２００のロック機構は、ロック基部３１の突出部分３３がロックバネ部材５０の付勢力を越える力で枠体２１３ｈ側に押されると、図９（ｂ）に示すように、ロック部材３０がスライド室４２をスライドしてロック部材収納部４０の奥に移動し、突出部分３３がロック部材収納部４０に収納された状態となる。この状態において、図示しない第１シャッタ部材２１３ａ及び第２シャッタ部材２１３ｂがハウジング１１の内側方向に観音開き式に回動して開くことができるようになる。すなわちロック解除状態となる。
【０１００】  このようにして、第３実施形態のバスダクトプラグインホール保護構造２００では、第１シャッタ部材２１３ａ及び第２シャッタ部材２１３ｂがハウジング１１の内側方向に回動して開くことをロックしたり解除したり（すなわち、ロックのＯＮ／ＯＦＦ）できるようになされている。尚、第１シャッタ部材２１３ａ及び第２シャッタ部材２１３ｂは、補強部として図示しないリブを形成したり補強部材を貼り付けて強度を向上してもよい。特に、第１シャッタ部材２１３ａ及び第２シャッタ部材２１３ｂそれぞれの長手方向に沿って補強部を設けることで、例えば指による不測の押圧によって第１シャッタ部材２１３ａ及び第２シャッタ部材２１３ｂが反ってしまうことを抑えることができる、すなわち、第１シャッタ部材２１３ａ及び第２シャッタ部材２１３ｂが反ってロック部材３０による係止が外れてロックが解除されてしまうような事態を極力回避できる。
【０１０１】  次に、第３実施形態のバスタクトプラグインホール保護構造２００における、ロック解除機構について説明する。このロック解除機構に関し、まず、第３実施形態のバスダクトプラグインホール保護構造２００を構成するプラグイン装置２２０について、第１実施形態及び第２実施形態のプラグイン装置２０とは異なる部分を説明する。
【０１０２】  プラグイン装置２２０は、図１１に示すように、絶縁ホルダ２３と一体に成形されたシャッタ開放部２２４が、絶縁ホルダ２３の両側の側壁２３ｂから下方に延設するように設けられており、絶縁ホルダ２３よりも下方に突出する略二等辺三角形状の開放片２２４ａが形成されている。この開放片２２４ａは、先端がより鋭角的に形成されており、第１シャッタ部材２１３ａのシャッタ開放ガイド部２１３ｅと第２シャッタ部材２１３ｂのシャッタ開放ガイド部２１３ｅとの間（図１０参照ｓ）に挿入し易いようになされている。
【０１０３】  シャッタ開放部２２４の略中央付近からは、バスダクト１０の長手方向に幅狭で平板状のロック解除部６０が、平面視で絶縁ホルダ２３の両側壁よりも外側の位置に下方に向けて突設されている。さらに、ロック解除部６０は、下端にかけて先細りの略三角形状の解除片６１が形成されていると共に、上端にかけても先細りの略三角形状の解除片６２が形成されている。
【０１０４】  一方で、第３実施形態のバスダクトプラグインホール保護構造２００において、シャッタ部材２１３には、図１０に示すように、第１シャッタ部材２１３ａ及び第２シャッタ部材２１３ｂが閉塞状態において突き合わされている部分の端部に、板状のロック解除部６０が挿通可能なスリット２１３ｓが形成されている。このスリット２１３ｓは、第１シャッタ部材２１３ａと第２シャッタ部材２１３ｂとが対向する端辺の両角がそれぞれ矩形に切り欠かれることにより形成された微小な隙間である。
【０１０５】  そして、このスリット２１３ｓに対し、プラグイン装置２２０のロック解除部６０が挿入されると、ロック部材３０の被ロック解除部としての突出部３３に対して解除片６１が押し当てられることで、ロック解除部６０を挿入する方向の動作がロック基部３１の突出部分３３を枠体２１３ｈ側に押し込む動作に変換され、これにより、ロック部材３０がロック部材収納部４０に収納されて、第１シャッタ部材２１３ａ及び第２シャッタ部材２１３ｂのロックが解除されるようになされている。
【０１０６】  このようにして、第３実施形態のバスダクトプラグインホール保護構造２００では、第１シャッタ部材２１３ａ及び第２シャッタ部材２１３ｂのロックが、プラグイン装置２２０を近づけて挿入することに伴って解除されるようになされている。
【０１０７】  すなわち、第３実施形態のバスダクトプラグインホール保護構造２００では、ロック部材３０が設けられて第１シャッタ部材２１３ａ及び第２シャッタ部材２１３ｂが開くことを防止する一方で、プラグインホール１２へプラグイン装置２２０を近づけて挿入する動作に応じ、ロック部材３０によるロックを解除できるようになされている。これにより、例えば作業者が不用意にシャッタ部材２１３に触れてしまうような場合には、ロックされているためシャッタ部材が開くことはなく、プラグインホール１２の保護がより一層強固なものとなる。その一方で、プラグインホール１２にプラグイン装置２２０を近づけて挿入する際、シャッタ部材２１３のロックが自動で解除されるため、施工性に何ら影響することなくスムーズな挿入が可能である。
【０１０８】  また、第３実施形態のバスダクトプラグインホール保護構造２００では、ロック部材３０のロック頭部３２の上面がロック部材収納部４０の上面側開口４４から、外部（上方）へと露出しており、容易に視認できるようになっている。これにより、ロックされているか否かが一目で判別でき、例えば、仮に何らかの要因によってロック部材に不具合があって、ロックされているべき状況においてロックされていないような状態が生じたとしても、シャッタ部材を押して確認する等の作業をすることなく目視だけで不具合を判別することができる。
【０１０９】  また、第３実施形態のバスダクトプラグインホール保護構造２００では、ロック部材３０の被ロック解除部としての突出部３３が、第１シャッタ部材２１３ａ及び第２シャッタ部材２１３ｂよりもハウジング１１の内側、すなわち、ハウジング１１の外部へ露出しない位置に設けられている。このため、例えば作業者が不用意にシャッタ部材に触れてしまうような場合においても、被ロック解除部に作業者が触れることが無く、すなわち、不用意にロックが解除されることがないため、プラグインホールの保護がより一層強固なものとなる。尚、突出部３３がハウジング１１の外部へ露出しない状態とは、完全に塞がれて外方から完全に視認できないものだけでなく、微小な隙間（例えば指やドライバーが入らない程度の隙間）はあっても容易には視認できなかったり容易には触れられないものも含むものとする。
【０１１０】  また、第３実施形態のバスダクトプラグインホール保護構造２００では、プラグインホール１２の平面視において、ロック部材３０の被ロック解除部としての突出部分３３がプラグインホール１２の領域の内側に配置されている。このため、プラグインホール１２の平面視において被ロック解除部がプラグインホールの領域の外側になるように配置する場合に比べてバスダクトプラグインホール保護構造２００を設けるのに必要なスペースを小さくすることができ、その結果、バスダクトプラグインホール保護構造がコンパクトになる。
【０１１１】  また、第３実施形態のバスダクトプラグインホール保護構造２００では、第１シャッタ部材２１３ａ及び第２シャッタ部材２１３ｂが端部同士を向かい合わせにして配置された両開き式であり、第１シャッタ部材２１３ａの端部と第２シャッタ部材２１３ｂの端部との間のスリット２１３ｓを介してロック解除部６０がハウジング１１内部に挿入され、ロック部材３０による第１シャッタ部材２１３ａ及び第２シャッタ部材２１３ｂのロックを解除するようになされている。このため、プラグインホール１２の平面視においてロック部材３０の被ロック解除部としての突出部分３３がプラグインホール１２の領域の内側に位置していても、ロック解除部６０で被ロック解除部（突出部分３３）を押圧することが可能となる。
【０１１２】  また、第３実施形態のバスダクトプラグインホール保護構造２００は、換言すれば、第１シャッタ部材２１３ａとプラグインホール１２との間の微小な隙間としてのスリット２１３ｓ、若しくは、第２シャッタ部材２１３ｂとプラグインホール１２との間の微小な隙間としてのスリット２１３ｓを介してロック解除部６０がハウジング１１内部に挿入され、ロック部材３０による第１シャッタ部材２１３ａ及び第２シャッタ部材２１３ｂのロックを解除するようになされているとも解することもできる。このため、プラグインホール１２の平面視においてロック部材３０の被ロック解除部としての突出部分３３がプラグインホール１２の領域の内側に位置していても、ロック解除部６０で被ロック解除部（突出部分３３）を押圧することが可能となる。
【０１１３】  かかる構成に加え、第３実施形態のバスダクトプラグインホール保護構造２００では、第１シャッタ部材２１３ａ及び第２シャッタ部材２１３ｂにおいて、スリット２１３ｓへ向けて傾斜するロック解除ガイド部２１３ｋがシャッタ開放ガイド部２１３ｅをそのまま延設するように設けられている（図１０参照）。このため、プラグイン装置２２０の挿入時においてプラグインホール１２に対する位置、すなわちスリット２１３ｓに対するロック解除部６０の位置が多少ずれたとしても、ロック解除部６０の位置がガイド２１３ｋによって矯正されることにより、スムーズに挿入することが可能となる。
【０１１４】  以下、第３実施形態のバスダクトプラグインホール保護構造２００において、プラグインホール１２に対してプラグイン装置２２０を近づけて挿入する際のシャッタ部材２１３及びロック部材３０の動作について図１１を用いて説明する。
【０１１５】  図１１（ａ）及び（ｂ）は、バスダクト１０のプラグインホール１２に対してプラグイン装置２２０を挿入する前の状態を示す図であり、ロック解除部６０の略三角形状の解除片６１の先端が、第１シャッタ部材２１３ａ及び第２シャッタ部材２１３ｂの間のスリット２１３ｓの略直上に位置するようにプラグイン装置２２０が配置されている。
【０１１６】  図１１（ｃ）は、ロック解除部６０によってロック部材３０が枠体２１３ｈ側に押し込まれ、ロック部材収納部４０に収納された状態を示している。これにより、第１シャッタ部材２１３ａ及び第２シャッタ部材２１３ｂのロックが解除され、ハウジング１１の内側方向に観音開き式に開くことができるようになっている。
【０１１７】  図１１（ｄ）は、プラグインホール１２に対してプラグイン装置２２０を挿入する動作がほぼ完了した状態を示す図であり、シャッタ開放部２２４の略三角形状の開放片２２４ａによって第１シャッタ部材２１３ａと第２シャッタ部材２１３ｂとがハウジング１１の内側方向に観音開き式に回動され、絶縁ホルダ２３とこの絶縁ホルダ２３に保護された接触子２１とがプラグインホール１２の内部に挿入されている。その結果、クリップ状の各接触子２１が対応するバスダクト導体２を挟持することになり、バスダクト１０とプラグイン装置２２０との電気的接続が達成される。
【０１１８】  尚、プラグイン装置２２０の挿入が完了した状態においては、ロック解除部６０がバスダクト導体２の下方にまで挿入されてしまうため、ロック部材３０は再びロック部材収納部４０の係止部４３に係止される位置まで戻っている。これにより、バスダクト１０にプラグイン装置２２０を装着し続けている間、ロックバネ部材５０を圧縮した状態にし続けることを回避できるようになされており、長期の使用の後にロックバネ部材５０の弾性力が悪化して、第１シャッタ部材２１３ａ及び第２シャッタ部材２１３ｂのロックに不具合を起こしてしまうような事態を極力回避できるようになされている。また、ロック部材６０を絶縁ホルダ２３の高さの分だけ形成する必要もないため、その分部材が少なくて済みコストも低減できる。
【０１１９】  このように、第３実施形態のバスダクトプラグインホール保護構造２００は、バスダクト１０のプラグインホール１２に対するプラグイン装置２２０の挿入動作により、図１１（ｂ）→（ｃ）→（ｄ）のように、第１シャッタ部材２１３ａ及び第２シャッタ部材２１３ｂのロックを自動で解除しつつ、これら、第１シャッタ部材２１３ａ及び第２シャッタ部材２１３ｂを自動で開放するようになされている。
【０１２０】  また、第３実施形態のバスダクトプラグインホール保護構造２００において、プラグインホール１２からプラグイン装置２２０を引き抜く際のシャッタ部材２１３の動作については、第１シャッタ部材２１３ａ及び第２シャッタ部材２１３ｂがバネ部材２１６によってプラグインホール１２の閉塞方向に常に付勢されているため、単純に挿入時とは逆の動作となり、図１１（ｄ）→（ｃ）→（ｂ）のように、第１シャッタ部材２１３ａ及び第２シャッタ部材２１３ｂが自動で閉塞した後に、ロック部材３０がロックバネ部材５０によって元の位置に戻ることで自動にロックされるようになされている。
【０１２１】  尚、上述したように、このプラグイン装置２２０を装着した状態においてロック部材３０はロック時と同じ位置に戻っている。従って、プラグイン装置２２０を引き抜く際、ロック解除部６０の上部に設けられた解除片６２でロック部材３０をロック部材収納部４０に収納し、その後に第１シャッタ部材２１３ａ及び第２シャッタ部材２１３ｂが閉塞され、さらにその後にロック部材３０がロック状態に戻ってロックされる、という動作が、プラグイン装置２２０を引き抜く動作に応じて自動でなされるようになっている。
【０１２２】  以上説明したように、第３実施形態のバスダクトプラグインホール保護構造２００は、第１シャッタ部材２１３ａ及び第２シャッタ部材２１３ｂがハウジング１１の内側方向に観音開き式に回動して開くことがロックされているため、例えば作業者が不用意にシャッタ部材２１３に触れてしまうような場合においても、シャッタ部材が開くことはなく、プラグインホール１２の保護がより一層強固なものとなる。その一方で、プラグインホール１２にプラグイン装置２２０を近づけて挿入する際に、シャッタ部材２１３のロックが自動で解除されるため、施工性を損なうことなく容易に挿入可能である。
【０１２３】《第４実施形態》
次に、本発明の第４実施形態のバスダクトプラグインホール保護構造３００について、図１２及び図１３を用いて説明する。尚、図１２は、本発明の第４実施形態のバスダクトプラグインホール保護構造及びバスダクトの詳細を示す図であり、（ａ）が平面図であり、（ｂ）がＩ−Ｉの模式断面図であり、（ｃ）がＪ−Ｊの模式断面図である。また、図１３は、本発明の第４実施形態のバスダクトプラグインホール保護構造のプラグインホールにプラグイン装置を挿入する過程を示す模式図であり、（ａ）が挿入前の図、（ｂ）が指示円Ｓ３部分の拡大図（挿入前）、（ｃ）が指示円Ｓ３部分の拡大図（ロック解除状態）、（ｄ）が指示円Ｓ３部分の拡大図（挿入後）である。
【０１２４】  尚、第４実施形態のバスダクトプラグインホール保護構造３００は、ロック機構およびロック解除機構が第１実施形態乃至第３実施形態とは異なる。よって、この第４実施形態では、説明の便宜上、第１実施形態乃至第３実施形態と同様の構成又は相当する部分となるものには同じ符号を付すと共に、第１実施形態乃至第３実施形態と異なる部分（すなわちロック機構およびロック解除機構）を詳細に説明し、同様の構成の部分については説明を省略する。
【０１２５】  先ず、第４実施形態のバスダクトプラグインホール保護構造３００における、シャッタ部材３１３のロック機構について説明する。このロック機構は、ロック状態において第１シャッタ部材３１３ａ及び第２シャッタ部材３１３ｂがプラグインホール１２を開放しないように維持しつつ、ロックが解除された場合には開放できるようにするためのものであり、図１２及び図１３に示すように、第１シャッタ部材３１３ａ及び第２シャッタ部材３１３ｂが閉塞状態において突き合わされている端辺の端部近傍において、ロック部材３３０を枠体３１３ｈから延設するように一体に設けることによって実現される。
【０１２６】  具体的には、ロック部材３３０は、図１３に示すように、例えば幅狭で薄い略短冊状で枠体３１３ｈの内壁の中程から上方に向けて弾性変形可能な程度の強度で延設されておりその先端には、第１シャッタ部材３１３ａ及び第２シャッタ部材３１３ｂが閉塞状態において突き合わされている部分の端部の上側を係止するように配置される係止部３３１が設けられている。
【０１２７】  係止部３３１は、第１シャッタ部材３１３ａ及び第２シャッタ部材３１３ｂがバネ部材２１６によってプラグインホール１２の内側から外側へ回動すること、すなわち観音開きにプラグインホール１２を開放することを防止するようになされている。
【０１２８】  また、ロック部材３３０には、第１シャッタ部材３１３ａ及び第２シャッタ部材３１３ｂが閉塞状態において突き合わされている部分の端部の下側を係止するように配置されるロック部３３２が設けられている。ここで、第１シャッタ部材３１３ａ及び第２シャッタ部材３１３ｂ側へのロック部３３２の突出幅は、係止部３３１の突出幅より短く形成されている。
【０１２９】  ロック部３３２は、第１シャッタ部材３１３ａ及び第２シャッタ部材３１３ｂが閉塞状態において突き合わされている部分の端部の下側に配置されることで、第１シャッタ部材３１３ａ及び第２シャッタ部材３１３ｂを係止し、ハウジング１１の内側方向に観音開き式に開くことを防止（すなわちロック）するようになされている。すなわちこれがロック状態である。
【０１３０】  かかる構成に加え、シャッタ部材３１３において枠体３１３ｈとロック部材３３０との間には、ロック部材３３０が枠体３１３ｈ側へ押されたときに変形して反ることができるようにするためのロック部材収納空間３４０が形成されている。
【０１３１】  これにより、第４実施形態のバスダクトプラグインホール保護構造３００は、ロック部材３３０の弾性力を越える力で係止部３３１が枠体３１３ｈ側に押されると、ロック部材３３０が変形して枠体３１３ｈ側へ反ってロック部材収納空間３４０に収容された状態になる。このとき、ロック部材３３０のロック部３３２も枠体３１３ｈ側へ反ることにより、ロック部３３２による係止が外れ、第１シャッタ部材３１３ａ及び第２シャッタ部材３１３ｂがハウジング１１の内側方向に観音開きできるようになされている。すなわちこれがロック解除状態である。
【０１３２】  このようにして、第４実施形態のバスダクトプラグインホール保護構造３００においても、第３実施形態と同様に、第１シャッタ部材３１３ａ及び第２シャッタ部材３１３ｂがハウジング１１の内側方向に観音開き式に開くことのロックと解除（すなわちロックのＯＮ／ＯＦＦ）ができるようになされている。
【０１３３】  尚、シャッタ部材３１３には、ハウジング１１内部のバスダクト導体２を保持する導体保持溝３１３ｍが形成されており、バスダクト導体２を支持する支持ホルダとしても機能している。
【０１３４】  次に、第４実施形態のバスダクトプラグインホール保護構造３００における、ロック解除機構について説明する。このロック解除機構に関し、まず、第４実施形態のバスダクトプラグインホール保護構造３００を構成するプラグイン装置３２０について、第１実施形態乃至第３実施形態のプラグイン装置とは異なる部分を説明する。
【０１３５】  プラグイン装置３２０は、図１３に示すように、絶縁ホルダ２３の両側壁２３ｂ側には、第１乃至第３実施形態のようなシャッタ開放部が形成されていないと共に、第３実施形態のようなロック解除部も形成されていない。このプラグイン装置３２０において、ロック解除部として機能するのは絶縁ホルダ２３の両側壁２３ｂ側の下端部２３ｄであり、シャッタ開放部として機能するのは絶縁ホルダ２３の前壁２３ｅ及び後壁２３ｆ側の下端部２３ｇである。
【０１３６】  一方で、第４実施形態のバスダクトプラグインホール保護構造３００において、ロック部材３３０の係止部３３１には、第１シャッタ部材３１３ａ及び第２シャッタ部材３１３ｂ側に向けて上部が丸みを帯びた斜辺を形成するようにして、被ロック解除部３３３が形成されている。
【０１３７】  この被ロック解除部３３３に対し、プラグイン装置３２０の絶縁ホルダ２３の両側壁２３ｂ側の下端部２３ｄ（ロック解除部）がプラグイン装置３２０の挿入方向に押し当てられると、プラグイン装置３２０を挿入する方向の動作がロック部材３３０の係止部３３１を枠体３１３ｈ側に押圧する動作に変換され、これにより、ロック部材３３０が変形して枠体３１３ｈ側へ反ってロック部材収納空間３４０に収容される。このとき、第１シャッタ部材３１３ａ及び第２シャッタ部材３１３ｂの下側に配置されていたロック部３３２も枠体３１３ｈ側へ移動することになり、その結果、ロックが解除されるようになされている。
【０１３８】  このようにして、第４実施形態のバスダクトプラグインホール保護構造３００では、第１シャッタ部材３１３ａ及び第２シャッタ部材３１３ｂのロックが、プラグイン装置３２０の挿入によって解除されるようになされている。
【０１３９】  すなわち、第４実施形態のバスダクトプラグインホール保護構造３００では、ロック部材３３０が設けられて第１シャッタ部材３１３ａ及び第２シャッタ部材３１３ｂが開くことを防止する一方で、プラグインホール１２へのプラグイン装置３２０の挿入動作に応じ、ロック部材３３０によるロックを解除できるようになされている。これにより、プラグインホール１２にプラグイン装置３２０を近づけて挿入する際に、第１シャッタ部材３１３ａ及び第２シャッタ部材３１３ｂのロックが自動で解除されるため、施工性に何ら影響することなくスムーズな挿入が可能である。その一方で、例えば作業者が不用意にシャッタ部材３１３に触れてしまうような場合には、ロックされているため第１シャッタ部材３１３ａ及び第２シャッタ部材３１３ｂが開くことはなく、プラグインホール１２の保護がより一層強固なものとなる。
【０１４０】  また、第４実施形態のバスダクトプラグインホール保護構造３００では、ロック部材３３０の被ロック解除部３３３が外部（上方）へと露出しており、容易に視認できるようになっている。これにより、ロックされているか否かが一目で判別でき、例えば、仮に何らかの要因によってロック部材３３０に不具合があって、ロックされているべき状況においてロックされていないような状態が生じたとしても、シャッタ部材を押して確認する等の作業をすることなく目視だけで不具合を判別することができる。
【０１４１】  これに加え、第４実施形態のバスダクトプラグインホール保護構造３００では、ロック部材３３０の被ロック解除部３３３が、第１シャッタ部材３１３ａ及び第２シャッタ部材３１３ｂよりも外部（上方）に配置されている。これにより、ロック機能を有しつつも、メンテナンス等でシャッタ部材を開けたい場合には、被ロック解除部３３３を直接操作して容易にロックを解除でき、シャッタ部材を開放することができる。
【０１４２】  また、第４実施形態のバスダクトプラグインホール保護構造３００では、プラグインホール１２の平面視において、ロック部材３３０の被ロック解除部３３３がプラグインホール１２の領域の内側に配置されている。このため、プラグインホール１２の平面視において被ロック解除部３３３がプラグインホールの領域の外側になるように配置する場合に比べてバスダクトプラグインホール保護構造３００を設けるのに必要なスペースを小さくすることができ、その結果、バスダクトプラグインホール保護構造がコンパクトになる。
【０１４３】  また、第４実施形態のバスダクトプラグインホール保護構造３００では、プラグイン装置３２０には、分岐用の接触子２１とこの接触子２１の絶縁ホルダ２３とが設けられ、絶縁ホルダ２３の両側壁２３ｂ側の下端部２３ｄがロック解除部の機能を有するようにしていると共に、絶縁ホルダ２３の前壁２３ｅ側及び後壁２３ｆ側の下端部２３ｇがシャッタ開放部の機能を有するようにしている。このため、ロック解除部やシャッタ開放部を別部材や別形状として形成する必要が無いため、構造がシンプルとなり製造コストも安くなる。
【０１４４】  以下、第４実施形態のバスダクトプラグインホール保護構造３００において、プラグインホール１２に対してプラグイン装置３２０を挿入する際のシャッタ部材３１３及びロック部材３３０の動作について図１３を用いて説明する。
【０１４５】  図１３（ａ）及び（ｂ）は、バスダクト１０のプラグインホール１２に対してプラグイン装置３２０を挿入する前の状態を示す図であり、絶縁ホルダ２３の両側壁２３ｂ側の下端部２３ｄのそれぞれが被ロック解除部３３３の略直上に位置するようにプラグイン装置３２０が配置されている。
【０１４６】  図１３（ｃ）は、プラグインホール１２に対してプラグイン装置３２０を挿入する動作が開始された結果、絶縁ホルダ２３の両側壁２３ｂ側の下端部２３ｄ（ロック解除部）それぞれが被ロック解除部３３３を押圧してロック部材３３０全体を枠体３１３ｈ側へ反らせてロック部材収納空間３４０に収容させた状態を示す図であり、第１シャッタ部材３１３ａ及び第２シャッタ部材３１３ｂの下側に配置されていたロック部３３２もロック部材３３０の変形に伴って枠体３１３ｈ側へ移動し、ロックが解除されている。
【０１４７】  図１３（ｄ）は、プラグインホール１２に対してプラグイン装置３２０を挿入する動作によって、絶縁ホルダ２３の前壁２３ｅ側及び後壁２３ｆ側の下端部２３ｇ（シャッタ開放部）それぞれが第１シャッタ部材３１３ａ及び第２シャッタ部材３１３ｂの閉塞部３１３ｃを押圧して回動させることで開放し、プラグインホール１２に対してプラグイン装置３２０を挿入する動作が完了した状態を示す図であり、絶縁ホルダ２３とこの絶縁ホルダ２３に保護された接触子２１とがプラグインホール１２の内部に挿入されている。その結果、クリップ状の各接触子２１が対応するバスダクト導体２を挟持することになり、バスダクト１０とプラグイン装置３２０との電気的接続が達成される
【０１４８】  このように、第４実施形態のバスダクトプラグインホール保護構造３００は、バスダクト１０のプラグインホール１２に対するプラグイン装置３２０の挿入動作により、図１３（ｂ）→（ｃ）→（ｄ）のように、第１シャッタ部材３１３ａ及び第２シャッタ部材３１３ｂのロックを自動で解除しつつ、これら、第１シャッタ部材３１３ａ及び第２シャッタ部材３１３ｂを自動で開放するようになされている。
【０１４９】  また、第４実施形態のバスダクトプラグインホール保護構造３００において、プラグインホール１２からプラグイン装置３２０を引き抜く際のシャッタ部材３１３の動作については、第１シャッタ部材３１３ａ及び第２シャッタ部材３１３ｂがバネ部材３１６によってプラグインホール１２の閉塞方向に常に付勢されているため、単純に挿入時とは逆の動作となり、図１３（ｄ）→（ｃ）→（ｂ）のように、第１シャッタ部材３１３ａ及び第２シャッタ部材３１３ｂが自動で閉塞した後に、ロック部材３３０が弾性力によって元の位置に戻ることで自動にロックされるようになされている。
【０１５０】  以上説明したように、第４実施形態のバスダクトプラグインホール保護構造３００は、例えば作業者が不用意にシャッタ部材３１３に触れてしまうような場合には、ロックされているためシャッタ部材が開くことはなく、プラグインホール１２の保護がより一層強固なものとなる。その一方で、プラグインホール１２にプラグイン装置３２０を近づけて挿入する際には、シャッタ部材３１３のロックが自動で解除されるため、施工性に何ら影響することなくスムーズな挿入が可能である。
【０１５１】  また、第４実施形態のバスダクトプラグインホール保護構造３００は、枠体３１３ｈとロック部材３３０とが一体に成形されているため、構造としてシンプルであり、容易に形成できるという利点もある。
【０１５２】  尚、上述した第１乃至第４実施形態において、空気層によって絶縁された空気絶縁型のバスダクト導体２を有するバスダクト１０に対してシャッタ部材を設ける構成を説明したが、本発明はこれに限らず、各導体を絶縁物で被覆して密着並設した絶縁型バスダクトに対してシャッタ部材を設けるようにしても良い。以下、絶縁型バスダクトに対してシャッタ部材を設ける場合について第５実施例として説明する。
【０１５３】《第５実施形態》
次に、本発明の第５施形態のバスダクトプラグインホール保護構造４００について、図１４乃至図１６を用いて説明する。尚、図１４は、本発明の第５実施形態のバスダクトプラグインホール保護構造のバスダクトを示す図であり、（ａ）が平面図であり、（ｂ）が側面図である。また、図１５は、本発明の第５実施形態のバスダクトプラグインホール保護構造及びバスダクトの詳細を示す図であり、（ａ）が平面図であり、（ｂ）がＫ−Ｋの模式断面図であり、（ｃ）がＬ−Ｌの模式断面図である。また、図１６は、本発明の第５実施形態のバスダクトプラグインホール保護構造のプラグインホールにプラグイン装置を挿入する過程を示す模式図であり、（ａ）が挿入前の図、（ｂ）が指示円Ｓ４部分の拡大図（挿入前）、（ｃ）が指示円Ｓ４部分の拡大図（ロック解除状態）、（ｄ）が指示円Ｓ４部分の拡大図（挿入後）である。
【０１５４】  尚、第５実施形態のバスダクトプラグインホール保護構造４００は、バスダクトおよびシャッタ部材の構造が第１実施形態乃至第４実施形態とは異なる。よって、この第５実施形態では、説明の便宜上、第１実施形態乃至第４実施形態と同様の構成又は相当する部分となるものには同じ符号を付すと共に、第１実施形態乃至第４実施形態と異なる部分（すなわちバスダクトおよびシャッタ部材）を詳細に説明し、同様の構成の部分については説明を省略する。
【０１５５】  第５実施形態のバスダクトプラグインホール保護構造４００は、例えば図示しない絶縁性の樹脂シートで被覆されて密着並設した絶縁被覆型の複数（この場合、一例としてＲＳＴ三相分の三本）のバスダクト導体４０２をハウジング４１１内部に収容したバスダクト４１０と、バスダクト４１０同士を電気的に接続するバスダクト接続部４１９（すなわち、接続用のバスダクト）と、バスダクト４１０の各バスダクト導体４０２それぞれに対応する複数（この場合、一例として三個）の接触子４２１を有するプラグイン装置４２０を具えている（図１６参照）。
【０１５６】  バスダクト接続部４１９では、図１５に示すように、対向して配置されたバスダクト４１０の各相のバスダクト導体４０２の端部を二枚の接続導体４１９ａで挟み、両外側にハウジングとしての側板４１９ｂを配置して、相間や側板４１９ｂとの間を絶縁セパレータ４１９ｅで絶縁し、ボルト４１９ｃで一括に締結することでバスダクト４１０同士を電気的に接続するようになされている。このとき、二枚の接続導体４１９ａはバスダクト導体４０２よりも幅広に形成されているため、ボルト４１９ｃで締結したときにバスダクト導体４０２よりも上方（下方）に突き出るようになされており、この突き出た部分において、二枚の接続導体４１９ａに挟まれたプラグイン空間４１９ｄが形成されるようになされている。
【０１５７】  また、バスダクト接続部４１９では、その上部および下部をハウジングとしての上下板４１９ｆで覆っており、この上下板にプラグインホール１２が形成され、ここにシャッタ部材４１３が取り付けられる（この場合は一例として上側のみに形成）。そして、シャッタ部材４１３を介したプラグインホール１２にプラグイン装置４２０の接触子４２１が挿入され、且つ、プラグイン空間４１９ｄに挿入（プラグイン）されると、接続導体４１９ａに接続されることにより、電気幹線の主幹としてのバスダクト４１０に対してプラグイン装置４２０が電気的に接続されるようになっている。
【０１５８】  ここで、先ず、第５実施形態のバスダクトプラグインホール保護構造４００における、シャッタ部材４１３について説明する。シャッタ部材４１３は、図１５に示すように、プラグインホール１２をバスダクト４１０の長手方向に二分するかのようにしてお互いに対向して配置された一対の第１シャッタ部材４１３ａ及び第２シャッタ部材４１３ｂとからなり、これら第１シャッタ部材４１３ａ及び第２シャッタ部材４１３ｂのそれぞれに、プラグインホール１２を覆うための閉塞部４１３ｃが形成されている。また、シャッタ部材４１３の枠体４１３ｈにおけるバスダクト４１０の長手方向の両側には、第１シャッタ部材４１３ａ及び第２シャッタ部材４１３ｂの閉塞部４１３ｃをスライドして収容可能なスライド穴４１３ｄが枠体４１３ｈに囲まれた内側の領域に穿設されている。尚、枠体４１３ｈで囲まれた領域も便宜的にプラグインホール１２とする。
【０１５９】  従って、第１シャッタ部材４１３ａ及び第２シャッタ部材４１３ｂの閉塞部４１３ｃそれぞれを、スライド穴４１３ｄに挿入することで、第１シャッタ部材４１３ａ及び第２シャッタ部材４１３ｂは、プラグインホール１２を両開き式にスライド開閉できるようになされている。
【０１６０】  また、第１シャッタ部材４１３ａ及び第２シャッタ部材４１３ｂには、プラグインホール１２の閉塞時に相互に接触する閉塞部４１３ｃの端辺の少なくとも一部に、プラグインホール１２の外方から内方に向けて傾斜するシャッタ開放ガイド部４１３ｅが設けられている。このシャッタ開放ガイド部４１３ｅに対し、後述するプラグイン装置４２０の接触子４２１（シャッタ開放部）が押し当てられることによって、プラグイン装置４２０を挿入する方向の動きが第１シャッタ部材４１３ａ及び第２シャッタ部材４１３ｂを開放方向にスライドさせる動きに変換されるようになされている。
【０１６１】  尚、スライド穴４１３ｄの中には、プラグインホール１２を閉塞する方向に第１シャッタ部材４１３ａ及び第２シャッタ部材４１３ｂを付勢するための例えば螺旋（コイル）状のバネ部材４１６が設けられており、これにより、第１シャッタ部材４１３ａ及び第２シャッタ部材４１３ｂが付勢されてプラグインホール１２を閉塞するようになされている。
【０１６２】  次に、第５実施形態のバスダクトプラグインホール保護構造４００における、シャッタ部材４１３のロック機構について説明する。このロック機構は、ロック状態において第１シャッタ部材４１３ａ及び第２シャッタ部材４１３ｂが両開きにスライドしてプラグインホール１２を開放しないように維持しつつ、ロックが解除された場合には開放できるようにするためのものであり、図１５及び図１６に示すように、第１シャッタ部材４１３ａ及び第２シャッタ部材４１３ｂが閉塞状態において突き合わされている部分の端部近傍において、ロック部材４３０を枠体４１３ｈから延設するように一体に設けることによって実現される。
【０１６３】  具体的には、ロック部材４３０は、枠体４１３ｈの内壁の下方から上方に向けて弾性変形可能な程度の強度で延設されており、その先端には、第１シャッタ部材４１３ａ及び第２シャッタ部材４１３ｂが閉塞状態において突き合わされている部分の端部の上側に配置される被ロック解除部４３１が設けられている。
【０１６４】  また、ロック部材４３０には、閉塞状態における第１シャッタ部材４１３ａ及び第２シャッタ部材４１３ｂそれぞれの閉塞部４１３ｃの下側でシャッタ開放ガイド部４１３ｅの裏側の部分を係止するように、一対のロック部４３２が設けられており、第１シャッタ部材４１３ａ及び第２シャッタ部材４１３ｂ側へのロック部４３２の突出幅は、被ロック解除部４３１の突出幅より短く形成されている。
【０１６５】  ロック部４３２は、閉塞状態における第１シャッタ部材４１３ａ及び第２シャッタ部材４１３ｂのシャッタ開放ガイド部４１３ｅの裏側の部分に配置されることで、開放ガイド部４１３ｅを係止し、第１シャッタ部材４１３ａ及び第２シャッタ部材４１３ｂがスライドしてプラグインホール１２を開放することを防止（すなわちロック）するようになされている。すなわちこれがロック状態である。
【０１６６】  かかる構成に加え、シャッタ部材４１３において枠体４１３ｈとロック部材４３０との間には、ロック部材４３０が枠体４１３ｈ側へ押されたときに変形して反ることができるようにするためのロック部材収納空間４４０が形成されている。
【０１６７】  これにより、第５実施形態のバスダクトプラグインホール保護構造４００は、ロック部材４３０の弾性力を越える力で被ロック解除部４３１が枠体４１３ｈ側に押されると、ロック部材４３０が変形して枠体４１３ｈ側へ反ってロック部材収納空間４４０に収容された状態になる。このとき、ロック部材４３０のロック部４３２も枠体４１３ｈ側へ反ることにより、ロック部４３２による係止が外れ、第１シャッタ部材４１３ａ及び第２シャッタ部材４１３ｂがスライドして開くことができるようになされている。すなわちこれがロック解除状態である。
【０１６８】  このようにして、第５実施形態のバスダクトプラグインホール保護構造４００においても、第３実施形態及び第４実施形態と同様に、第１シャッタ部材４１３ａ及び第２シャッタ部材４１３ｂがスライドしてプラグインホール１２を開放することのロックと解除（すなわち、ロックのＯＮ／ＯＦＦ）ができるようになされている。
【０１６９】  次に、第５実施形態のバスダクトプラグインホール保護構造４００における、ロック解除機構について説明する。このロック解除機構に関し、まず、第４実施形態のバスダクトプラグインホール保護構造４００を構成するプラグイン装置４２０について、第１実施形態乃至第４実施形態のプラグイン装置とは異なる部分を説明する。
【０１７０】  プラグイン装置４２０は、図１６に示すように、遮断器等（図示せず）を内部に収納した箱形状の本体部４２２と、バスダクト４１０の各バスダクト導体４０２それぞれに対応して本体部４２２から突設された複数（この場合、一例として三個）の接触子４２１と、この接触子４２１を支持すると共に保護するための絶縁樹脂製の絶縁ホルダ４２３とを有している。そして、この第５実施形態のバスダクトプラグインホール保護構造４００におけるプラグイン装置４２０では、接触子４２１がロック解除部として機能すると共に、シャッタ開放部としても機能するようになされている。
【０１７１】  具体的には、接触子４２１は、バスダクト４１０の長手方向に沿って見たときに、一対の端子が先細りで中央付近が外側に丸く膨らむような形状になるように横並びで配置されている。この一対の端子が、二枚の接続導体４１９ａの間のプラグイン空間４１９ｄに接触子４２１を挿入し易いように挿入ガイド４２１ａとして形成されている。そして、三個並んだ接触子４２１の挿入ガイド４２１ａのうち、両外側に位置する挿入ガイド４２１ａがロック解除部としても機能するようになされている。
【０１７２】  また、接触子４２１は、バスダクト４１０の長手方向に直交する方向に沿って見たときに、端子が下方の先端に向けて先細りの逆三角形状に形成されており、この部分がシャッタ開放部４２１ｂとして機能する。
【０１７３】  一方で、第５実施形態のバスダクトプラグインホール保護構造４００において、ロック部材４３０の被ロック解除部４３１は、その端部に上方から下方に傾斜する斜辺が形成されている。
【０１７４】  この被ロック解除部４３１に対し、プラグイン装置４２０の接触子４２１の挿入ガイド４２１ａ（ロック解除部）がプラグイン装置４２０の挿入方向に押し当てられると、プラグイン装置４２０を挿入する方向の動作が被ロック解除部４３１を枠体４１３ｈ側に押圧する動作に変換され、これにより、ロック部材４３０が変形して枠体４１３ｈ側へ反ってロック部材収納空間４４０に収容される。このとき、ロック部材４３０のロック部４３２も枠体４１３ｈ側へ反ることにより、ロック部４３２による係止が外れ、その結果、ロックが解除されるようになされている。
【０１７５】  このようにして、第５実施形態のバスダクトプラグインホール保護構造４００では、第１シャッタ部材４１３ａ及び第２シャッタ部材４１３ｂのロックが、プラグイン装置４２０の挿入によって解除されるようになされている。
【０１７６】  すなわち、第５実施形態のバスダクトプラグインホール保護構造４００では、ロック部材４３０が設けられて第１シャッタ部材４１３ａ及び第２シャッタ部材４１３ｂが開くことを防止する一方で、プラグインホール１２へのプラグイン装置４２０の挿入動作に応じ、ロック部材４３０によるロックを解除できるようになされている。これにより、例えば作業者が不用意にシャッタ部材４１３に触れてしまうような場合には、ロックされているため第１シャッタ部材４１３ａ及び第２シャッタ部材４１３ｂが開くことはなく、プラグインホール１２の保護がより一層強固なものとなる。その一方で、プラグインホール１２にプラグイン装置４２０を近づけて挿入する際に、第１シャッタ部材４１３ａ及び第２シャッタ部材４１３ｂのロックが自動で解除されるため、施工性に何ら影響することなくスムーズな挿入が可能である。
【０１７７】  また、第５実施形態のバスダクトプラグインホール保護構造４００では、ロック部材４３０の被ロック解除部４３１が外部（上方）へと露出しており、容易に視認できるようになっている。これにより、ロックされているか否かが一目で判別でき、例えば、仮に何らかの要因によってロック部材４３０に不具合があって、ロックされているべき状況においてロックされていないような状態が生じたとしても、シャッタ部材を押して確認する等の作業をすることなく目視だけで不具合を判別することができる。
【０１７８】  これに加え、第５実施形態のバスダクトプラグインホール保護構造４００では、ロック部材４３０の被ロック解除部４３１が、第１シャッタ部材４１３ａ及び第２シャッタ部材４１３ｂよりも外部（上方）に配置されている。これにより、ロック機能を有しつつも、メンテナンス等でシャッタ部材を開けたい場合には、被ロック解除部４３１を直接操作して容易にロックを解除でき、シャッタ部材を開放することができる。
【０１７９】  また、第５実施形態のバスダクトプラグインホール保護構造４００では、プラグインホール１２の平面視において、ロック部材４３０の被ロック解除部４３１がプラグインホール１２の領域の内側に配置されている。このため、プラグインホール１２の平面視において被ロック解除部４３１がプラグインホールの領域の外側になるように配置する場合に比べてバスダクトプラグインホール保護構造４００を設けるのに必要なスペースを小さくすることができ、その結果、バスダクトプラグインホール保護構造がコンパクトになる。
【０１８０】  また、第５実施形態のバスダクトプラグインホール保護構造４００では、プラグイン装置４２０に分岐用の接触子４２１が設けられ、この接触子４２１の挿入ガイド４２１ａがロック解除部の機能を有するようにしていると共に、接触子４２１のシャッタ開放部４２１ｂがシャッタ開放部の機能を有するようにしている。このため、ロック解除部やシャッタ開放部を別部材や別形状として形成する必要が無いため、構造がシンプルとなり製造コストも安くなる。
【０１８１】  かかる構成に加え、第５実施形態のバスダクトプラグインホール保護構造４００では、プラグイン装置４２０に分岐用の接触子４２１を保護する絶縁ホルダ４２３にも、ロック解除部として機能する第１斜辺４２３ａが形成されていると共に、シャッタ開放部として機能する第２斜辺４２３ｂが形成されている。すなわち、第５実施形態のバスダクトプラグインホール保護構造４００では、プラグイン装置４２０の接触子４２１と絶縁ホルダ４２３との両方が、ロック解除部の機能を有すると共にシャッタ開放部の機能を有するようにもなされている。尚、接触子４２１及び絶縁ホルダ４２３の形状や寸法を選定することで、接触子４２１だけにロック解除部の機能およびシャッタ開放部の機能の少なくとも一方を付与するようにしても良い。
【０１８２】  以下、第５実施形態のバスダクトプラグインホール保護構造４００において、プラグインホール１２に対してプラグイン装置４２０を挿入する際のシャッタ部材４１３及びロック部材４３０の動作について図１６を用いて説明する。
【０１８３】  図１６（ａ）及び（ｂ）は、プラグインホール１２に対してプラグイン装置４２０を挿入する前の状態を示す図であり、三個並んだ接触子４２１の挿入ガイド４２１ａのうちの両外側に位置する挿入ガイド４２１ａ（ロック解除部）が被ロック解除部４３１の略直上に位置するようにプラグイン装置４２０が配置されている。
【０１８４】  図１６（ｃ）は、プラグインホール１２に対してプラグイン装置４２０を挿入する動作が開始された結果、三個並んだ接触子４２１の挿入ガイド４２１ａのうちの両外側に位置する挿入ガイド４２１ａそれぞれが被ロック解除部４３１を押圧してロック部材４３０全体を枠体４１３ｈ側へ反らせてロック部材収納空間４４０に収容させた状態を示す図であり、ロック部材４３０のロック部４３２も枠体４１３ｈ側へ反ることにより、ロック部４３２による係止が外れてロックが解除され、第１シャッタ部材４１３ａ及び第２シャッタ部材４１３ｂがスライドして開くことができる状態となっている。
【０１８５】  図１６（ｄ）は、プラグインホール１２に対してプラグイン装置４２０を挿入する動作が完了した状態を示す図であり、接触子４２１の略三角形状のシャッタ開放部４２１ｂの先端が第１シャッタ部材４１３ａのシャッタ開放ガイド部４１３ｅと第２シャッタ部材４１３ｂのシャッタ開放ガイド部４１３ｅとに接触し、第１シャッタ部材４１３ａと第２シャッタ部材４１３ｂとが離間する方向にスライドさせている。すなわち、シャッタ開放ガイド部４１３ｅに対して略三角形状のシャッタ開放部４２１ｂが押し当てられることによって、プラグイン装置４２０を挿入する方向の動作が第１シャッタ部材４１３ａ及び第２シャッタ部材４１３ｂを開放方向にスライドさせる動作に変換されており、その力がバネ部材４１６の付勢力を越えたときに、プラグインホール１２が開放されていくようになされている。
【０１８６】  このように、第５実施形態のバスダクトプラグインホール保護構造４００は、バスダクト４１０（バスダクト接続部４１９）のプラグインホール１２に対するプラグイン装置４２０の挿入動作により、図１６（ｂ）→（ｃ）→（ｄ）のように、第１シャッタ部材４１３ａ及び第２シャッタ部材４１３ｂのロックを自動で解除しつつ、これら、第１シャッタ部材４１３ａ及び第２シャッタ部材４１３ｂを自動で開放するようになされている。
【０１８７】  また、第５実施形態のバスダクトプラグインホール保護構造４００において、プラグインホール１２からプラグイン装置４２０を引き抜く際のシャッタ部材４１３の動作については、第１シャッタ部材４１３ａ及び第２シャッタ部材４１３ｂがバネ部材４１６によってプラグインホール１２の閉塞方向に常に付勢されているため、単純に挿入時とは逆の動作となり、図１６（ｄ）→（ｃ）→（ｂ）のように、第１シャッタ部材４１３ａ及び第２シャッタ部材４１３ｂが自動で閉塞した後に、ロック部材４３０が弾性力によって元の位置に戻ることで自動にロックされるようになされている。
【０１８８】  以上説明したように、第５実施形態のバスダクトプラグインホール保護構造４００は、プラグインホール１２にプラグイン装置４２０を近づけて挿入する際に、シャッタ部材４１３のロックが自動で解除されるため、施工性に何ら影響することなくスムーズな挿入が可能である。その一方で、例えば作業者が不用意にシャッタ部材４１３に触れてしまうような場合には、ロックされているためシャッタ部材が開くことはなく、プラグインホール１２の保護がより一層強固なものとなる。
【０１８９】《他の実施形態》
尚、上述した実施の形態では、ＲＳＴ三相＋中性相の四本のバスダクト導体（三相四線）や、ＲＳＴ三相だけの三本のバスダクト導体（三相三線）を有するバスダクトについて説明したが、本発明はこれに限らず、単相一線・単相二線・単相三線・三相六線・三相八線、等、バスダクト導体の相数や導体の線数は適宜であるものとする。
【０１９０】  また、上述した第１乃至第４実施形態では、突出部としてハウジング１１の補強部１４を適用し、突出空間としてハウジング１１の補強空間１５（１５ａ・１５ｂ・１５ｃ）を適用するようにした場合について述べたが、本発明はこれに限らず、例えば意匠用や部材セット用の凹部といった、補強用途ではない突出部及び突出空間を用いるようにしても良い。
【０１９１】  また、上述した第１及び第２実施形態では、上側ハウジング半体１１ａおよび下側ハウジング半体１１ｂの両側壁に補強部１４および補強空間１５を形成するようにした場合について述べたが、本発明はこれに限らず、上側ハウジング半体１１ａの上板や下側ハウジング半体１１ｂの下板を略凸形状に突出変形させることによって補強部や補強空間を形成するようにしても良く、そのようにして形成された補強空間にシャッタ部材の一部やバネ部材が収納されるようにシャッタ部材を配置しても良い。
【０１９２】  また、上述した第１及び第２実施形態では、補強空間１５ａ・補強空間１５ｂ・補強空間１５ｃのうちの補強空間１５ａに対してプラグインホール１２を閉塞することに関わる部材の一部を配置するようにした場合について述べたが、本発明はこれに限らず、補強空間１５ｂや補強空間１５ｃを利用する構成であってもよい。また、ハウジング１１の両側壁の補強空間１５ａにそれぞれバネ部材や規制部を設けるようにした場合について述べたが、片側だけに設けるようにしても良い。また、一方にはバネ部材を他方には規制部を設けるようにしても良い。
【０１９３】  また、上述した第１及び第２実施形態では、プラグインホール１２を閉塞することに関わる部材として、シャッタ部材１３の一部、バネ部材１６（１１６）及び規制部１７を補強空間１５ａに収容するようにした場合について述べたが、その全体を収容してもよいし、一部を収容してもよいし、いずれかの部材だけを収容してもよく、要は、プラグインホール１２を閉塞することに関わる部材の一部が補強空間１５ａ（突出空間）に収容されていれば、バスダクト導体２とハウジング１１との間の空間絶縁距離や沿面距離等を阻害しにくくなる。
【０１９４】  また、上述した第１乃至第５実施形態では、螺旋（コイル）状のバネ部材や板状のバネ部材を用いるようにした場合について述べたが、本発明はこれに限らず、バネ部材としては弾性を有する部材を用いればよく、金属材料、ゴム状の物質や軟質樹脂、木片や竹片等の植物材料品及びその加工物、等何でもよいし、その形状も蛇腹状等でもよい。また、このバネ部材とシャッタ部材とを連結する部位やその構造についても、特に限定しない。
【０１９５】  また、上述した第１乃至第５実施形態では、プラグインホール１２の略中央付近で第１シャッタ部材と第２シャッタ部材とが突き合わされるようにした場合について述べたが、本発明はこれに限らず、第１シャッタ部材と第２シャッタ部材とが突き合わされた部分が、第１シャッタ部材及び第２シャッタ部材のどちらかに偏っていても良い。
【０１９６】  また、上述した第１乃至第５実施形態では、遮断器等を内部に収納した箱形状のプラグイン装置を用いるようにした場合について述べたが、本発明はこれに限らず、プラグイン装置の形状は特に限定しないし、遮断器等を内部に備えていなくてもよい。
【０１９７】  また、上述した第１乃至第３実施形態では、略三角形状のシャッタ開放部によって第１シャッタ部材及び第２シャッタ部材を開放するようにした場合について述べたが、本発明はこれに限らず、下方が先細りの台形状や円弧形状等、挿入時に第１シャッタ部材及び第２シャッタ部材に引っかからない形状であれば何でも良いものとする。
【０１９８】  また、上述した第１及び第２実施形態では、図４及び図６に示すように、シャッタ開放部２４の略三角形状の開放片２４ａの斜辺の角度よりも第１シャッタ部材１３ａ及び第２シャッタ部材１３ｂのシャッタ開放ガイド部１３ｅの傾斜角度の方が急勾配にした場合について述べたが、本発明はこれに限らず、開放片２４ａの斜辺の角度の方を急勾配にしても良いし、角度を合わせるようにしても良い。すなわち、開放片２４ａの斜辺の角度よりもシャッタ開放ガイド部１３ｅの傾斜角度の方が急勾配にした場合は、少ない挿入量で第１シャッタ部材１３ａ及び第２シャッタ部材１３ｂを開放できるという利点がある。また、開放片２４ａの斜辺の角度をシャッタ開放ガイド部１３ｅの傾斜角度よりも急勾配にした場合は、より少ない力で第１シャッタ部材１３ａ及び第２シャッタ部材１３ｂを開放できるという利点がある。さらに、開放片２４ａの斜辺の角度とシャッタ開放ガイド部１３ｅの傾斜角度とを合わせた場合は、開放片２４ａの斜辺全体でシャッタ開放ガイド部１３ｅを押圧できるため、挿入の力が安定して第１シャッタ部材１３ａ及び第２シャッタ部材１３ｂに伝わるという利点がある。
【０１９９】  また、上述した第３乃至第５実施形態では、バスダクト及びバスダクト接続部のハウジングに形成されたプラグインホール１２に対し、枠体としてユニット化されたシャッタ部材を取付けるようにした場合について述べたが、本発明はこれに限らず、第１及び第２実施形態のように枠体を設けずにハウジングの内側にシャッタ部材を埋め込むようにしても良い。同様に、第１及び第２実施形態のシャッタ部材を、第３乃至第５実施形態のシャッタ部材のように枠体を設けてハウジングの外部に取り付けるようにしても良い。
【０２００】  また、上述した第３実施形態では、ロック解除部６０の解除片６１及び解除片６２を略三角形状にしてロック部材３０のロック基部３１の突出部分３３を横断面視で矩形とするようにした場合について述べたが、本発明はこれに限らず、解除片６１及び解除片６２を矩形にして突出部分３３を横断面視で略三角形状等にしても良いし、解除片６１及び解除片６２を略三角形状のままにして突出部分３３を横断面視で略三角形状等にしても良い。要は、プラグイン装置２２０を挿入する方向の動きを、ロック部材３０を枠体２１３ｈ側に押圧する方向の動きに変換できるのであれば、ロック解除部６０やロック部材３０の各部位の形状は適宜選択可能であるものとする。第１乃至第５実施形態におけるシャッタ開放ガイド部とシャッタ開放部との関係や、被ロック解除部とロック解除部との関係も同様である。
【０２０１】  また、上述した第３実施形態では、第１シャッタ部材２１３ａ及び第２シャッタ部材２１３ｂが閉塞状態において突き合わされている部分の端部にスリット２１３ｓを形成するようにした場合について述べたが、このスリット２１３ｓを裏側から閉塞できるように、第１シャッタ部材２１３ａ及び第２シャッタ部材２１３ｂの少なくとも一方の裏側に軟質樹脂製の閉塞シートを設置するようにしても良い。そうすることで、第１シャッタ部材２１３ａ及び第２シャッタ部材２１３ｂの閉塞時にはこのスリット２１３ｓも閉塞シートによって閉塞された状態となり安全性を向上でき、その一方で、プラグイン装置２２０のロック解除部６０がスリット２１３ｓに挿入される際には、閉塞シートが変形してロック解除部６０を容易に通すことが可能となり、施工性も確保できる。
【０２０２】  また、上述した第３実施形態では、第２シャッタ部材２１３ｂに対向する第１シャッタ部材２１３ａの端辺の両角を矩形に切り欠くと共に、第１シャッタ部材２１３ａに対向する第２シャッタ部材２１３ｂの端辺の両角を矩形に切り欠くことにより、その切欠き同士が合わさることでスリット２１３ｓを形成するようにした場合について述べたが、本発明はこれに限らず、第１シャッタ部材２１３ａと第２シャッタ部材２１３ｂとのどちらかだけを切り欠くことでスリットを形成しても良いし、閉塞状態における第１シャッタ部材２１３ａと第２シャッタ部材２１３ｂとを僅かに離間させることで微小な隙間としてのスリットを形成するようにしても良い。また、第１シャッタ部材２１３ａ及び第２シャッタ部材２１３ｂがつき合わされている部分の端部に隣接する枠体２１３ｈの内側部分を僅かに切り欠くことで、スリットを形成しても良い。
【０２０３】  また、上述した第３実施形態では、ロック部材３０のロック頭部３２の上面が、ロック部材収納部４０の上面側開口４４から外部（上方）へと露出するようにした場合について述べたが、本発明はこれに限らず、例えば上面側開口４４を設けないことでロック頭部３２の上面を外部に露出しないようにしても良い。そうすることで、ロックされているか否かを一目で判別することはできなくなるものの、外部からロック部材３０へ直接触れる可能性がある部位を減らすことができるため、その分だけ安全性を向上することができる。
【０２０４】  また、上述した第３乃至第５実施形態では、プラグインホール１２の平面視において、ロック部材の被ロック解除部がプラグインホール１２の領域の内側に配置されるようにした場合について述べたが、本発明はこれに限らず、被ロック解除部の少なくとも一部がプラグインホール１２の領域の内側に配置されるのであれば、その構造は特に限定しない。
【０２０５】  また、上述した第４実施形態では、第１シャッタ部材３１３ａ及び第２シャッタ部材３１３ｂ側へのロック部３３２の突出幅を係止部３３１の突出幅より短く形成するようにした場合について述べたが、本発明はこれに限らず、係止部３３１が絶縁ホルダ２３によって押し退けられたときに、ロック部３３２によるロックが解除される寸法や位置関係であるのならば、ロック部３３２の突出幅および係止部３３１の突出幅は、同じ幅でも良いしどちらが長くても良く、適宜設定できるものとする。第５実施形態についても同様である。
【０２０６】  また、上述した第４実施形態では、絶縁ホルダ２３の両側壁２３ｂ側の下端部２３ｄがロック解除部の機能を有するようにしていると共に、絶縁ホルダ２３の前壁２３ｅ側及び後壁２３ｆ側の下端部２３ｇがシャッタ開放部の機能を有するようにした場合について述べたが、本発明はこれに限らず、絶縁ホルダ２３の両側壁２３ｂ側の下端部２３ｄがロック解除部の機能を有する一方でシャッタ解放部を別部材として設けるようにしても良いし、絶縁ホルダ２３の前壁２３ｅ側及び後壁２３ｆ側の下端部２３ｇがシャッタ開放部の機能を有する一方でロック解除部を別部材として設けるようにしても良い。要は、絶縁ホルダ２３が有するのは、ロック解除部の機能とシャッタ解放部の機能との少なくとも一方であればよい。
【０２０７】  また、上述した第５実施形態では、接触子４２１の挿入ガイド４２１ａがロック解除部の機能を有するようにしていると共に、接触子４２１のシャッタ開放部４２１ｂがシャッタ開放部の機能を有するようにした場合について述べたが、本発明はこれに限らず、接触子４２１の挿入ガイド４２１ａがロック解除部の機能を有する一方でシャッタ解放部を別部材として設けるようにしても良いし、接触子４２１のシャッタ開放部４２１ｂがシャッタ開放部の機能を有する一方でロック解除部を別部材として設けるようにしても良い。要は、接触子４２１が有するのは、ロック解除部の機能とシャッタ解放部の機能との少なくとも一方であればよい。
【０２０８】  また、上述した第３実施形態では、スリット２１３ｓへ向けて傾斜するロック解除ガイド部２１３ｋを第１シャッタ部材２１３ａ及び第２シャッタ部材２１３ｂに形成するようにした場合について述べたが、本発明はこれに限らず、枠体２１３ｈに形成されていてもよい。すなわち、ロック解除部６０が挿入されるスリット２１３ｓの周囲にロック解除ガイド部２１３ｋが形成されていれば、プラグイン装置２２０の挿入時においてプラグインホール１２に対する位置、すなわちスリット２１３ｓに対するロック解除部６０の位置が多少ずれたとしても、ロック解除部６０の位置がガイド２１３ｋによって矯正されることにより、スムーズに挿入することが可能となる。
【０２０９】  また、上述した第３実施形態では、シャッタ係止部２１３ｊを設けることによって、プラグインホール１２を閉塞した状態よりもハウジング１１の外側方向に第１シャッタ部材２１３ａ及び第２シャッタ部材２１３ｂを開くことができないようにした場合について述べたが、本発明はこれに限らず、第１シャッタ部材２１３ａ及び第２シャッタ部材２１３ｂが突き合わされてプラグインホール１２を閉塞する位置で付勢力が無くなるような設計でバネ部材２１６を設置するようにすれば、シャッタ係止部を設けなくても、第１シャッタ部材２１３ａ及び第２シャッタ部材２１３ｂが枠体２１３ｈを越えてハウジング１１の外側方向に勝手に開くことを防止できる。
【０２１０】  また、上述した第１乃至第５実施形態では、第１シャッタ部材と第２シャッタ部材とでプラグインホール１２を閉塞するようにした場合について述べたが、本発明はこれに限らず、プラグインホール１２を一枚のシャッタ部材（すなわち第１シャッタ部材のみ）で閉塞するようにしても良い。以下、具体例として、第１実施形態のバスダクトプラグインホール保護構造１においてプラグインホール１２を一枚の第１シャッタ部材で閉塞した場合について、変形例１のバスダクトプラグインホール保護構造５００として説明する。
【０２１１】  変形例１のバスダクトプラグインホール保護構造５００は、図１７及び図１８に示すように、シャッタ部材の構造が第１実施形態のバスダクトプラグインホール保護構造１とは異なる。よって、この変形例１では、説明の便宜上、第１実施形態と同様の構成又は相当する部分となるものには同じ符号を付すと共に、第１実施形態と異なる部分のみを詳細に説明し、同様の構成の部分については説明を省略する。
【０２１２】  変形例１のバスダクトプラグインホール保護構造５００には、シャッタ部材５１３において第１シャッタ部材５１３ａだけが設けられており、この第１シャッタ部材５１３ａは、一枚でプラグインホール１２を閉塞できる大きさの閉塞部５１３ｃを有している。
【０２１３】  また、変形例１のバスダクトプラグインホール保護構造５００では、補強空間１５ａにおいて、プラグインホール１２を基準として第１シャッタ部材５１３ａのバネ係止部１３ｆとは反対側の位置に、バネ部材１６を係止するための断面視で略Ｌ字形状のバネ係止部材５９０が設けられている。そして、第１シャッタ部材５１３ａのバネ係止部１３ｆとバネ係止部材５９０とを連結するようにして、バネ部材１６が係止されている。
【０２１４】  また、補強空間１５ａにおいて、バネ係止部材５９０と第１シャッタ部材５１３ａとの間には規制部１７が設けられており、これにより、第１シャッタ部材５１３ａがバネ部材１６によって付勢される際、バネ係止部材５９０側へスライドし過ぎないようになされている。
【０２１５】  また、変形例１のバスダクトプラグインホール保護構造５００では、プラグイン装置２０のシャッタ開放部５２４の開放片５２４ａの形状が左右非対称の略直角三角形形状である点が、左右対称の略二等辺三角形状のシャッタ開放片２４ａを有していた第１実施形態のバスダクトプラグインホール保護構造１とは異なる。
【０２１６】  これにより、この変形例１のバスダクトプラグインホール保護構造５００は、第１シャッタ部材のみの片開きスライド式という違いはあるものの、第１実施形態のバスダクトプラグインホール保護構造１と同様の動作をすることができるようになされている。
【０２１７】  以下、変形例１のバスダクトプラグインホール保護構造５００において、プラグインホール１２に対してプラグイン装置２０を挿入する際の第１シャッタ部材５１３ａの動作について図１８を用いて説明する。
【０２１８】  図１８（ａ）は、バスダクト１０のプラグインホール１２に対してプラグイン装置２０を挿入する前の状態を示す図であり、シャッタ開放部５２４の略直角三角形状の開放片５２４ａの先端が、第１シャッタ部材５１３ａのシャッタ開放ガイド部５１３ｅとプラグインホール１２のホール縁５１２ａとが接する部分の略直上に位置するようにプラグイン装置２０が配置されている。尚、この場合、ホール縁５１２ａが第１シャッタ部材５１３ａの規制部としても機能することも可能である。すなわち、ホール縁５１２ａを、バスダクト１０の幅方向に拡張してもよい。
【０２１９】  図１８（ｂ）は、プラグインホール１２に対してプラグイン装置２０を挿入する動作が開始された状態を示す図であり、シャッタ開放部５２４の略直角三角形状の開放片５２４ａの先端が第１シャッタ部材５１３ａのシャッタ開放ガイド部５１３ｅとプラグインホール１２のホール縁５１２ａとに接触し、第１シャッタ部材５１３ａをホール縁５１２ａから離間する方向にスライドさせている。すなわち、第１シャッタ部材５１３ａのシャッタ開放ガイド部５１３ｅに対してシャッタ開放部５２４の略直角三角形状の開放片５２４ａの斜辺が押し当てられることによって、プラグイン装置２０を挿入する方向の動作が第１シャッタ部材５１３ａを開放方向にスライドさせる動作に変換されており、その力がバネ部材１６の付勢力を越えたときに、プラグインホール１２が開放されていくようになされている。
【０２２０】  図１８（ｃ）は、プラグインホール１２が完全に開放された状態を示す図であり、シャッタ開放部５２４の略直角三角形状の開放片５２４ａによって第１シャッタ部材５１３ａが開放され、絶縁ホルダ２３とこの絶縁ホルダ２３に保護された接触子（図示せず）とがプラグインホール１２の内部に挿入されている。その結果、クリップ状の各接触子が対応するバスダクト導体を挟持することになり、バスダクト１０とプラグイン装置２０との電気的接続が達成される。
【０２２１】  このようにして、変形例１のバスダクトプラグインホール保護構造５００も、第１実施形態のバスダクトプラグインホール保護構造１と同様に動作するようになされており、その結果、同様の効果が得られる。
【０２２２】  これに加え、変形例１のバスダクトプラグインホール保護構造５００では、図１７に示すように、シャッタ開放ガイド部５１３ｅが、プラグインホール１２の閉塞時に第１シャッタ部材５１３ａがプラグインホール１２のホール縁５１２ａに接触する端辺の全域ではなく、シャッタ開放部５２４の略直角三角形状の開放片５２４ａが接触する周囲にのみ形成されている。これにより、作業者が不用意にシャッタ開放ガイド部５１３ｅを押圧することに起因して第１シャッタ部材５１３ａが開いてしまうような状況を極力回避できるようになされており、その分、プラグインホール１２の保護が強固なものとなる。
【０２２３】  変形例１のバスダクトプラグインホール保護構造５００では、突出空間としての補強空間１５ａにバネ係止部材５９０も配置されている。すなわち、このバネ係止部材５９０もプラグインホール１２を閉塞することに関わる部材であり、補強空間１５ａに配置されているため、空間絶縁距離や沿面距離等を確保するためにバスダクト１０が巨大化してしまうような事態を極力回避し得る。
【０２２４】  また、上述した第３乃至第５実施形態では、枠体を有するシャッタ部材をバスダクトのハウジングの外側に取り付けるようにした場合について述べたが、本発明はこれに限らず、ハウジングの内側にシャッタ部材を収納するようにしても良い。以下、具体例として、第３実施形態のバスダクトプラグインホール保護構造２００において、ハウジング１１の内側にシャッタ部材を収納した場合について、変形例２のバスダクトプラグインホール保護構造６００として説明する。
【０２２５】  変形例２のバスダクトプラグインホール保護構造６００は、図１９に示すように、シャッタ部材がハウジング１１の内側に収納されている点が第３実施形態のバスダクトプラグインホール保護構造２００とは異なる。よって、この変形例２では、説明の便宜上、第３実施形態と同様の構成又は相当する部分となるものには同じ符号を付すと共に、第３実施形態と異なる部分のみを詳細に説明し、同様の構成の部分については説明を省略する。
【０２２６】  シャッタ部材６１３は、図１９に示すように、プラグインホール１２をバスダクト１０の長手方向に二分するかのようにしてお互いに対向して配置された一対の第１シャッタ部材６１３ａ及び第２シャッタ部材６１３ｂと、これら第１シャッタ部材６１３ａ及び第２シャッタ部材６１３ｂを囲うように設けられた枠体６１３ｈと、枠体６１３ｈの両端から下方に延設された係合片６１３ｉを有しており、全体としてユニット化され、バスダクト１０の上側ハウジング半体１１ａの内側からプラグインホール１２に嵌合されている。
【０２２７】  このとき、係合片６１３ｉの高さが、ハウジング１１の補強空間１５ａの高さよりも僅かに低く設定されている。これにより、シャッタ部材６１３は、枠体６１３ｈの両端の係合片６１３ｉをハウジング１１の両側壁の補強空間１５ａ・１５ａに架け渡して係合させることにより、プラグインホール１２の内側に位置決めされて容易に取り付けることができる。
【０２２８】  このようして変形例２のバスダクトプラグインホール保護構造６００のシャッタ部材６１３は、ハウジング１１の内側に取り付けることができるようになされており、それ以外については第３実施形態と何ら変わる部分がない。その結果、変形例２のバスダクトプラグインホール保護構造６００のシャッタ部材６１３も、上述の第３実施形態と同様の動作及び効果を得ることができるようになされている。
【０２２９】  かかる構成に加え、変形例２のバスダクトプラグインホール保護構造６００では、プラグインホール１２を閉塞することに関わる部材として、ロック機構（ロック部材３０、ロック部材収納部４０、ロックバネ部材５０）とシャッタ部材６１３の係合片６１３ｉとが、補強部１４の内側の略凹形状の補強空間１５（この場合、補強部１５ａ）に配置されている。このため、バスダクト１０の内部に収納されているバスダクト導体２とハウジング１１との間の空間絶縁距離や沿面距離等を極力阻害することなく、プラグインホール１２を閉塞することに関わる部材をハウジング１１の内部に収納することができる。すなわち、シャッタ部材６１３をハウジング１１の内部に設けることに起因して空間絶縁距離や沿面距離等を確保するためにバスダクト１０が巨大化してしまうような事態を極力回避し得る。
【０２３０】  また、変形例２のバスダクトプラグインホール保護構造６００では、平面視でロック部材３０は外部に露出しない位置に設けられている。これにより、ロックされているか否かを一目で判別することはできなくなるものの、外部からロック部材３０へ直接触れる可能性がある部位を減らすことができるため、その分だけ安全性を向上することができる。
【０２３１】  また、上述の第３実施形態では、ロック部材３０を板バネ形状のロックバネ部材５０で付勢する場合について述べたが、本発明はこれに限らず、ロック部材の構成は限定しないし、ロック羽部材もコイルバネ等の他のバネ部材で良い。すなわち、図２０及び図２１に示すようなロック部材７３０に、コイルバネ状のロックバネ部材７５０を組み合わせても良い。
【０２３２】  このロック部材７３０は、図示しないロック解除部の押圧を受けるための被ロック解除部としての突出部分７３３と、ロック部材７３０がセットされたときにロックバネ部材７５０に付勢されて所定位置より突出部分７３３側にスライドしないように図示しない枠体に係止するための係止部７３６と、内部にロックバネ部材７５０を収容するバネ収容空間７３５を有する。そして、ロック部材７３０は、バネ収容空間７３５を有するため、少ないスペースにおいても比較的長い形状のロックバネ部材７５０を取付けることができる。その結果、バネ収容空間７３５を有しないロック部材７３０に短いバネ部材を組み合わせた場合に比べて、ロック解除時におけるロック部材７３０の移動量に対するロックバネ部材７５０の長さの変化の割合が小さくなるため（図２１参照）、移動量に対するバネの付勢力の変化の割合も小さくなり、ロック解除をスムーズに行うことができる。
【０２３３】  さらに、図２２に示すようなロック部材９３０に、コイル状のロックバネ部材を組み合わせても良い。この場合のロック部材９３０は、図示しないロック解除部の押圧を受けるための被ロック解除部としての突出部分９３３と、ロック部材９３０がセットされたときにロックバネ部材に付勢されて所定位置より突出部分９３３側にスライドしないように枠体の突起がスライド可能に挿入されるための長孔９３６と、内部にロックバネ部材を収容するバネ収容空間９３５を有する。そして、ロック部材９３０もバネ収容空間９３５を有するため、少ないスペースにおいても比較的長い形状のロックバネ部材を取り付け可能な点は、上述したロック部材７３０及びロックバネ部材７５０の関係と同じである。
【０２３４】  次に、ロック部材９３０を用いたバスダクトプラグインホール保護構造９００を、変形例３として図２３及び図２４を用いて説明する。尚、図２３において（ａ）がシャッタ閉塞状態の上方斜視図であり、（ｂ）がシャッタ閉塞状態の下方斜視図であり、（ｃ）がシャッタ開放態の上方斜視図であり、（ｄ）がシャッタ開放状態の下方斜視図ある。また、図２４は、変形例３においてプラグインホールにプラグイン装置を挿入する過程を示す模式図であり、（ａ）が挿入前の図、（ｂ）が挿入中の図である。
【０２３５】  このバスダクトプラグインホール保護構造９００のシャッタ部材は、第１シャッタ部材２１３ａ及び第２シャッタ部材２１３ｂが枠体２１３ｈに取り付けられてユニット化され、バスダクト１０の上側ハウジング半体１１ａの外側からプラグインホール１２に合わせて取り付けられている点において、上述した第３実施形態のバスダクトプラグインホール保護構造と同じである。よって、この変形例３では、説明の便宜上、第３実施形態と同様の構成又は相当する部分となるものには同じ符号を付すと共に、第３実施形態と異なる部分を詳細に説明し、同様の構成の部分については説明を省略する。
【０２３６】  第１シャッタ部材２１３ａ及び第２シャッタ部材２１３ｂのそれぞれは、図２３（ｂ）（ｄ）に示すように、枠体２１３ｈによって囲まれた領域（すなわちプラグインホール１２）に対して回動可能に保持させるための一対の円柱状の回動軸９１３ｉを有している。また、枠体２１３ｈの裏側には、これら回動軸９１３ｉに対応する位置に、回動軸９１３ｉよりも僅かに径が大きい円筒状の回動穴９１３ｋが形成されている。これにより、第１シャッタ部材２１３ａ及び第２シャッタ部材２１３ｂは、回動軸９１３ｉが枠体２１３ｈの回動穴９１３ｋに回動可能な状態で保持され、プラグインホール１２を回動して開閉できるようになされている。
【０２３７】  そして、回動軸９１３ｉは、螺旋（コイル）状のバネ部材９１６に挿通され、バネ部材９１６の一端が第１シャッタ部材２１３ａ及び第２シャッタ部材２１３ｂの裏側に係止されると共に、その他端が枠体２１３ｈの裏側に係止されるようになされている。これにより、変形例３のバスダクトプラグインホール保護構造９００では、第１シャッタ部材２１３ａおよび第２シャッタ部材２１３ｂのそれぞれを、ハウジング１１の内側から外側へ回動するように付勢している。
【０２３８】  また、バスダクトプラグインホール保護構造９００におけるシャッタ係止部２１３ｊは、第１シャッタ部材２１３ａ及び第２シャッタ部材２１３ｂの短辺の上部全体を係止するよう枠体２１３ｈの内壁上端から延設されている。これにより、第３実施形態のシャッタ係止部２１３ｊと同様に、第１シャッタ部材２１３ａ及び第２シャッタ部材２１３ｂは、プラグインホール１２を閉塞した状態よりもハウジング１１の外側方向には開くことができないようになされている。
【０２３９】  さらに、バスダクトプラグインホール保護構造９００におけるロック解除ガイド部２１３ｋは、スリット２１３ｓへ向けて傾斜するように枠体２１３ｈ及びシャッタ係止部２１３ｊに形成されている。これにより、第３実施形態のロック解除ガイド部２１３ｋと同様に、プラグイン装置９２０の挿入時において、プラグインホール１２に対する位置、すなわちスリット２１３ｓに対するロック解除部６０の位置が多少ずれたとしても、ロック解除部６０の位置がガイド２１３ｋによって矯正されることにより、スムーズに挿入することが可能となる。
【０２４０】  ここで、変形例３のバスダクトプラグインホール保護構造９００において、ロック部材９３０は、第３実施形態のバスダクトプラグインホール保護構造２００のロック部材３０と同様の動作を行う。すなわち、ロック部材９３０は、図２２及び図２３に示すように、突出部分９３３が、第１シャッタ部材２１３ａ及び第２シャッタ部材２１３ｂが閉塞状態において突き合わされている端辺の端部の下側に配置され、ロックバネ部材９５０によりプラグインホール１２の内側方向へ付勢されることで、第１シャッタ部材２１３ａ及び第２シャッタ部材２１３ｂがハウジング１１の内側方向に回動して開くことを係止（すなわちロック）するようになされている（ロック状態）。
【０２４１】  尚、ロック部材９３０は、枠体２１３ｈから突設される突起２１３ｘがスライド可能に長孔９３６内に挿入されるため、ロックバネ部材９５０に付勢されても突起２１３ｘに係止され、所定位置より突出部分９３３側（プラグインホール１２の内側方向）にスライドしないようになされている。また、ロック部材９３０は、図２３（ｂ）でいうところのその上方に図示しない保持プレートを配置してビス固定する等により、枠体２１３ｈから離脱しないように、且つ枠体２１３ｈに対してスライド可能に保持される。
【０２４２】  そして、ロック部材９３０は、図２３（ｃ）（ｄ）に示すように、突出部分９３３がロックバネ部材９５０の付勢力を越える力で枠体２１３ｈ側に押されると移動し、第１シャッタ部材２１３ａ及び第２シャッタ部材２１３ｂがハウジング１１の内側方向に回動して開くことができるようになる（ロック解除状態）。
【０２４３】  一方、変形例３のバスダクトプラグインホール保護構造９００におけるプラグイン装置９２０（ここでは、説明のため便宜的に本体部や接触子を省略し、絶縁ホルダ９２３のみを表示する）は、図２４に示すように、プラグイン装置９２０の挿入時にロック解除部材６０によってロック部材９３０によるロックを自動で解除してから第１シャッタ部材２１３ａ及び第２シャッタ部材２１３ｂを開放する点では第３実施形態のプラグイン装置２２０と同様であるものの、絶縁ホルダ９２３の下端自体がそのまま略矩形状のシャッタ開放部となっている点が、略二等辺三角形状のシャッタ開放部２２４を有する第３実施形態のプラグイン装置３２０とは異なる。すなわち、変形例３のプラグイン装置９２０は、第４実施形態のプラグイン装置３２０のシャッタ開放部（下端部２３ｇ）に第３実施形態のプラグイン装置２２０のロック解除部材６０を組み合わせたような構造をしている。
【０２４４】  これにより、変形例３のバスダクトプラグインホール保護構造９００では、プラグイン装置９２０をプラグインホール１２に挿入する際、第１シャッタ部材２１３ａ及び第２シャッタ部材２１３ｂがまだ開き始めていない段階において、絶縁ホルダ９２３の前壁２３ｅ側及び後壁２３ｆ側の下端部２３ｇ（すなわちシャッタ開放部）によって、第１シャッタ部材２１３ａ及び第２シャッタ部材２１３ｂの上面における回動軸９１３ｉにより近い部分を垂直若しくは垂直に近い角度で押圧することになる。その結果、プラグイン装置９２０の挿入長さに対する第１シャッタ部材２１３ａ及び第２シャッタ部材２１３ｂの開放方向への回動量が大きくなるため、迅速な開放が可能となる。また、プラグイン装置９２０をプラグインホール１２から引き抜く際については、挿入時と逆の動作となるため、プラグイン装置９２０の引き抜き長さに対する第１シャッタ部材２１３ａ及び第２シャッタ部材２１３ｂの閉塞方向への回動量が大きくなり、迅速な閉塞が可能となる。
【０２４５】  よって、変形例３のバスダクトプラグインホール保護構造９００では、第１シャッタ部材２１３ａ及び第２シャッタ部材２１３ｂを開閉させるためのプラグイン装置９２０の移動距離（以下、着脱距離ともいう）を短縮できる。これにより、例えば、プラグイン装置９２０の着脱距離を考慮してバスダクトの周囲に予め確保する施工用スペースを縮小することも可能となる。また、バスダクトプラグインホール保護構造９００では、プラグイン装置９２０を引き抜く際において、第１シャッタ部材２１３ａ及び第２シャッタ部材２１３ｂが閉塞してからロック部材９３０がロック状態に戻るまでの間に、構造的（動作タイミング的）な余裕をもたせることが可能となる。これにより、例えば、挿入状態のプラグイン装置９２０を作業者が素早く引き抜くような場合でも、第１シャッタ部材２１３ａ及び第２シャッタ部材２１３ｂが閉塞位置に完全に戻るよりも前にロック部材９３０が先にロック位置に戻ってしまうような事態、すなわち、ロック部材９３０が第１シャッタ部材２１３ａ及び第２シャッタ部材２１３ｂの閉塞を阻害してしまうような事態を、プラグイン装置９２０の着脱距離を延長することなく確実に防ぐことが可能となる。
【０２４６】  尚、絶縁ホルダ９２３は、図示しない複数相（図２４の場合、３相＋中性相）のクリップ状の接触子を固定するという役割だけでなく、これら接触子間を絶縁するための沿面距離や空間絶縁距離を確保する役割も有しており、絶縁ホルダ９２３それ自体の構造を縮小したり短縮したりすることに構造的な限界がある。すなわち、絶縁ホルダ９２３に上述の第３実施形態のようにテーパー状のシャッタ開放部を設けると、テーパーの分だけ着脱距離が延長することになる。したがって、本変形例３の絶縁ホルダ９２３の開放片２２４ａのようにテーパー状のシャッタ開放部を有さない（若しくは、わずかに有する）構造とすることは、プラグイン装置９２０の着脱距離を短縮する上で数少ない有効手段であり、さらに、第１シャッタ部材２１３ａ及び第２シャッタ部材２１３ｂの上面における回動軸９１３ｉにより近い部分を押圧することで、より着脱距離を短縮できることになる。
【０２４７】  また、この変形例３では、第１シャッタ部材２１３ａ及び第２シャッタ部材２１３ｂがまだ開き始めていない段階において、回動軸９１３ｉに近い部分を下端部２３ｇ（すなわちシャッタ開放部）によって垂直若しくは垂直に近い角度で押圧する場合について述べたが、垂直に近い角度（例えば、８０°〜１００°）で押圧することができるのであれば、回動軸９１３ｉに近い部分を押圧するのは第１シャッタ部材２１３ａ及び第２シャッタ部材２１３ｂが開き始めた後の段階であってもよく、押圧するためのシャッタ開放部の構造も特に限定しない（僅かにテーパーを有するようにしてもよいし、絶縁ホルダとは別に設けてもよい）。また、垂直若しくは垂直に近い角度で押圧するとは、第１シャッタ部材２１３ａ及び第２シャッタ部材２１３ｂ全体に対する角度を意味し、例えばその表面（閉塞部２１３ｃ）に補強リブ等が設けられていることに起因して、シャッタ開放部による押圧部位が局所的に傾斜している場合であっても、第１シャッタ部材２１３ａ及び第２シャッタ部材２１３ｂ全体に対する押圧角度が垂直若しくは垂直に近い角度であるならば効果が得られるものである。
【０２４８】  かかる構成に加え、ロック状態において第１シャッタ部材２１３ａ及び第２シャッタ部材２１３ｂの裏側でロック部材９３０が配置される部分の周囲には、防壁９６０が立設されている。これにより、バスダクトプラグインホール保護構造９００では、第１シャッタ部材２１３ａ及び第２シャッタ部材２１３ｂの閉塞部２１３ｃとロック部材９３０との間に形成される微小な隙間を防壁９６０により確実に塞ぐことができ、仮にスリット２１３ｓにドライバー等の工具が近付くような場合があったとしても、工具がハウジング１１内に入って内部の導体２に触れて作業者が感電するような事態を未然に防ぐことができる。
【０２４９】  そして、変形例３のバスダクトプラグインホール保護構造９００も、図２４に示すように、第３実施形態と同様に、プラグインホール１２に対してプラグイン装置９２０を近づけて挿入する際に、ロックを自動で解除しつつ、これら、第１シャッタ部材２１３ａ及び第２シャッタ部材２１３ｂを自動で開放するようになされていると共に、プラグイン装置９２０をプラグインホール１２から引き抜けば、第１シャッタ部材２１３ａ及び第２シャッタ部材２１３ｂが自動で閉塞すると共に、自動にロックされるようになされている。
【０２５０】  尚、変形例３のバスダクトプラグインホール保護構造９００では、プラグイン装置９２０の後壁２３ｆに誤挿入防止切欠切欠９２３ａが形成されると共に、プラグイン時において誤挿入防止切欠切欠９２３ａに対応する枠体２１３ｈの部分に誤挿入防止リブ９２３ｂが形成されている。これにより、バスダクトプラグインホール保護構造９００では、プラグイン時において、誤挿入防止切欠切欠９２３ａと誤挿入防止リブ９２３ｂとが一致しない場合の誤挿入が防止される。
【０２５１】  このようして変形例３のバスダクトプラグインホール保護構造９００も、上述の第３及び第４実施形態と同様の動作及び効果を得ることができるようになされている。
【０２５２】  尚、上述した第１及び第２実施形態では、スライド開閉タイプの第１シャッタ部材及び第２シャッタ部材を、バネ部材で連結することでユニット化するようにした場合について述べたが、本発明はこれに限らず、例えば、第１シャッタ部材及び第２シャッタ部材を枠体に対してスライド開閉可能に取り付けることにより、ユニット化しても良い。以下、具体例を、図２５及び図２６に示す変形例４として説明する。
【０２５３】  変形例４のバスダクトプラグインホール保護構造８００におけるシャッタ部材８１３は、図２６に示すように、第１シャッタ部材１３ａ及び第２シャッタ部材１３ｂが、枠体８１３ｈにスライド可能に取り付けられている点が第１実施形態のバスダクトプラグインホール保護構造１とは異なる。よって、この変形例４では、説明の便宜上、第１実施形態と同様の構成又は相当する部分となるものには同じ符号を付すと共に、第１実施形態と異なる部分のみを詳細に説明し、同様の構成の部分については説明を省略する。
【０２５４】  まず、第１シャッタ部材１３ａ及び第２シャッタ部材１３ｂには、図２６に示すように閉塞部１３ｃの両端を一部延長するようにしてスライド部８１０が形成されている。一方、枠体８１３ｈは、全体としてハウジング１１の両側壁の補強空間１５ａ同士の間を架け渡せる長さの平板部８１３ｐを有し、この平板部８１３ｐにはプラグインホール１２と同程度の大きさ及び形状の開口８１２が形成されている（以下、この開口８１２を便宜的にプラグインホール１２と呼ぶこともある）。
【０２５５】  また、平板部８１３ｐの幅方向の両端側には、ハウジング１１の補強空間１５ａの高さと同程度の高さの側壁８１３ｄが形成されている。この側壁８１３ｄには、第１シャッタ部材１３ａのスライド部８１０を挿通してスライド可能に保持する第１レール孔８１３ｑが、側壁８１３ｄを貫通する長孔として設けられていると共に、第２シャッタ部材１３ｂのスライド部８１０を挿通してスライド可能に保持する第２レール孔８１３ｒが、側壁８１３ｄを貫通する長孔として設けられている
【０２５６】  これにより、第１シャッタ部材１３ａは、閉塞部１３ｃの両端のスライド部８１０を、枠体８１３ｈの両側壁８１３ｄの第１レール孔８１３ｑに挿入するようにして配置されることで、枠体８１３ｈに対してスライド可能に取り付けられる。同様に、第２シャッタ部材１３ｂも、閉塞部１３ｃの両端のスライド部８１０を、枠体８１３ｈの両側壁８１３ｄの第２レール孔８１３ｒに挿入するようにして配置されることで、枠体８１３ｈに対してスライド可能に取り付けられる。
【０２５７】  このとき、第１シャッタ部材１３ａ及び第２シャッタ部材１３ｂにはシャッタ開放ガイド部１３ｅが設けられているため、閉塞部１３ｃまで第１レール孔８１３ｑ及び第２レール孔８１３ｒに侵入してしまうことがシャッタ開放ガイド部１３ｅによって規制され、第１レール孔８１３ｑ及び第２レール孔８１３ｒに対して挿入されるのはスライド部８１０のみとなる。これにより第１シャッタ部材１３ａ及び第２シャッタ部材１３ｂは、第１レール孔８１３ｑ及び第２レール孔８１３ｒから離脱することなく、枠体８１３ｈの両側壁８１３ｄの間に保持されるようになされている。
【０２５８】  さらに、これら第１シャッタ部材１３ａ及び第２シャッタ部材１３ｂは、螺旋（コイル）状のバネ部材８１６によって相互に連結されている。具体的には、第１シャッタ部材１３ａの両側のスライド部８１０における第２シャッタ部材１３ｂ側とは反対側の位置にバネ係止部８１３ｆが設けられており、また、第２シャッタ部材１３ｂの両側のスライド部８１０における第１シャッタ部材１３ａ側とは反対側の位置に、バネ係止部８１３ｆが設けられている。そして、第１シャッタ部材１３ａのバネ係止部８１３ｆと第２シャッタ部材１３ｂのバネ係止部８１３ｆとを連結するようにして、バネ部材８１６が係止されている。
【０２５９】  これにより、第１シャッタ部材１３ａ及び第２シャッタ部材１３ｂは、バネ部材８１６によって相互に引き付けられるため、相互に近づく方向、すなわち開口８１２（プラグインホール１２）を閉塞する方向にお互いが付勢されるようになっている。また、第１シャッタ部材１３ａ及び第２シャッタ部材１３ｂは、第１レール孔８１３ｑ及び第２レール孔８１３ｒにスライド部８１０が挿入されていることにより、このスライド部８１０がスライドする範囲においてのみ移動可能になされている。すなわち、第１レール孔８１３ｑ及び第２レール孔８１３ｒの端が、上述した第１実施形態の規制部１７と同じ役割を果たしている。
【０２６０】  このように、変形例４のシャッタ部材８１３は形成されており、図２５に示すように、枠体８１３ｈの開口８１２がハウジング１１のプラグインホール１２と重なるように、且つ、枠体８１３ｈの平板部８１３ｐがハウジング１１の両側壁の補強空間１５ａに架け渡されるように配置され、ハウジング１１とビス等によって固定される。これにより、変形例３のバスダクトプラグインホール保護構造８００は、図示しないプラグイン装置の着脱に対して、第１及び第２実施形態のバスダクトプラグインホール保護構造と同様に動作すると共に、同様の効果を得ることが可能である。
【０２６１】  これに加え、変形例４のシャッタ部材８１３は、ハウジング１１に取り付けられた状態において、平板部８１３ｐ両端の側壁８１３ｄがハウジング１１の内部空間（断面視で略ロ字形状の空間）と補強空間１５ａとの間に存在するため、補強空間１５ａに配置されたバネ部材８１６が仮に何らかの不測の事態により切断するような事態が発生したとしても、切断したバネ部材８１６が垂れ下がってバスダクト導体２とハウジング１１との間の空間絶縁距離や沿面距離等を阻害したり、バスダクト導体２と短絡したりといった事態が発生することを確実に回避できる。すなわち、平板部８１３ｐ両端の側壁８１３ｄは、補強空間１５ａに配置されたバネ部材８１６がハウジング１１の内部空間に移動することを規制するバネ移動規制部として機能し、機能を発揮できるのであればその形状も壁だけに限らず、柵状部材、所定間隔ごと設置されたビスやボルト、バスダクトの長手方向に沿って配置される柱状部材等、何でも良く、隙間の有無や寸法も特に限定しない。
【０２６２】  以上、本発明のバスダクトプラグインホール保護構造について各実施形態および変形例に基づいて説明したが、本発明は、上述した各実施形態や変形例に限定されるものではなく、それぞれ実施形態を部分的に組み合わせる、不要箇所を削除するなど、本発明の要旨の範囲内で適用可能である。例えば、第５実施形態の第１シャッタ部材４１３ａと第２シャッタ部材４１３ｂとを、第１実施形態のバネ部材１６で相互に連結することで、これら第５実施形態の第１シャッタ部材４１３ａと第２シャッタ部材４１３ｂとでプラグインホール１２を閉塞するようにしても良い。また、第３乃至第５実施形態や変形例においてプラグインホール１２に対して二箇所ずつ設けていたロック部材を、片側だけにしても同様の効果を得ることができる。さらに、ロック機構を有する第３乃至第５実施形態や変形例においてプラグインホール１２を第１シャッタ部材と第２シャッタ部材とで閉塞するようにしていた構成を、片方のシャッタ部材だけで閉塞するようにしても良い。さらに、スライド式に開閉する第１及び第２実施形態の第１シャッタ部材１３ａ及び第２シャッタ部材１３ｂ（開閉部材）を、回動して開閉する構成としても良い。
【符号の説明】
【０２６３】  １、１００、２００、３００、４００、５００、６００、８００、９００…バスダクトプラグインホール保護構造、２、４０２…バスダクト導体、１０、４１０…バスダクト、１１、４１１…ハウジング、１１ａ…上側ハウジング半体、１１ｂ…下側ハウジング半体、１２…プラグインホール、１２ａ…誤挿入防止切欠、１３、２１３、３１３、４１３、５１３、６１３、８１３、９１３…シャッタ部材、１３ａ、２１３ａ、３１３ａ、４１３ａ、５１３ａ、６１３ａ…第１シャッタ部材、１３ｂ、２１３ｂ、３１３ｂ、４１３ｂ、６１３ｂ…第２シャッタ部材、１３ｃ、２１３ｃ、３１３ｃ、４１３ｃ、５１３ｃ…閉塞部、１３ｄ…スライド部、１３ｅ、２１３ｅ、４１３ｅ、５１３ｅ…シャッタ開放ガイド部、１３ｆ…バネ係止部、１４…補強部、１５、１５ａ、１５ｂ、１５ｃ…補強空間、１６、１１６、２１６、３１６、４１６…バネ部材、１７…規制部、１８…連結部材、１８ａ、１８ｂ…端部、２０、２２０、３２０、４２０…プラグイン装置、２１、４２１…接触子、２２、４２２…本体部、２３、４２３、９２３…絶縁ホルダ、２３ａ…溝、２３ｂ…側壁、２３ｃ…誤挿入防止リブ、２３ｄ…下端部、２３ｅ…前壁、２３ｆ…後壁、２３ｇ…下端部、２４、２２４、４２１ｂ、５２４…シャッタ開放部、２４ａ、２２４ａ、５２４ａ…開放片、３０、３３０、４３０、７３０、９３０…ロック部材、３１…ロック基部、３２…ロック頭部、３３、７３３、９３３…突出部分、４０…ロック部材収納部、４１…正面側開口、４２…スライド室、４３…係止部４３、４４…上面側開口、４５…バネ保持室、５０、７５０…ロックバネ部材、６０…ロック解除部、６１、６２…解除片、１１３ｆ…バネ止部、１１３ｇ…挿通孔、２１３ｈ、３１３ｈ、４１３ｈ、６１３ｈ…枠体、２１３ｉ…回動軸、２１３ｊ…シャッタ係止部、２１３ｋ…ロック解除ガイド部、２１３ｓ…スリット、３１３ｍ…導体保持溝、３３１…係止部、３３２、４３２…ロック部、３３３、４３１…被ロック解除部、３４０、４４０…ロック部材収納空間、４１３ｄ…スライド穴、４１９…バスダクト接続部、４１９ａ…接続導体、４１９ｂ…側板、４１９ｃ…ボルト、４１９ｄ…プラグイン空間、４１９ｅ…絶縁セパレータ、４１９ｆ…上下板、４２１ａ…挿入ガイド、４２３ａ…第１斜辺、４２３ｂ…第２斜辺、５１２ａ…ホール縁、５９０…バネ係止部材、６１３ｉ…係合片、７３５、９３５…バネ収容空間、７３６…係止部
【図１】
2014103845.tif 000003
【図２】
2014103845.tif 000004
【図３】
2014103845.tif 000005
【図４】
2014103845.tif 000006
【図５】
2014103845.tif 000007
【図６】
2014103845.tif 000008
【図７】
2014103845.tif 000009
【図８】
2014103845.tif 000010
【図９】
2014103845.tif 000011
【図１０】
2014103845.tif 000012
【図１１】
2014103845.tif 000013
【図１２】
2014103845.tif 000014
【図１３】
2014103845.tif 000015
【図１４】
2014103845.tif 000016
【図１５】
2014103845.tif 000017
【図１６】
2014103845.tif 000018
【図１７】
2014103845.tif 000019
【図１８】
2014103845.tif 000020
【図１９】
2014103845.tif 000021
【図２０】
2014103845.tif 000022
【図２１】
2014103845.tif 000023
【図２２】
2014103845.tif 000024
【図２３】
2014103845.tif 000025
【図２４】
2014103845.tif 000026
【図２５】
2014103845.tif 000027
【図２６】
2014103845.tif 000028